(57)【要約】  本発明は、ダウンリンクマルチアンテナマルチ基地局システムにおける基地局に関する。上記基地局は、ダウンリンク干渉の空間領域特性情報を取得する空間領域情報取得ユニットと、上記空間領域情報取得ユニットによって取得されたダウンリンク干渉の空間領域特性情報に基づいて干渉協調指示を生成する干渉協調指示生成ユニットと、バックグラウンドインターフェース通信を介して、生成された干渉協調指示を、隣接する基地局へ送信し、上記隣接する基地局にリソーススケジューリングを実行させるように指示し、上記基地局に対する干渉を低減あるいは除去する、バックグラウンドインターフェース通信ユニットと、を備える。また、本発明は、サービング基地局が隣接する基地局に送信した干渉協調指示を利用することによって、隣接する基地局によるサービング基地局に対する干渉を低減あるいは除去する、干渉協調方法に関する。本発明によれば、分散セル間干渉協調を達成するために、基地局間の信号によるごくわずかな相互通信が要求される。従って、本発明は、信号オーバーヘッドが低く、実施が簡単で、遅延が少なく、柔軟に適応できるなどの利点を有している。【選択図】図１２
2013516799.tif 000002
【特許請求の範囲】
【請求項１】
ダウンリンク干渉（downlink interference）の空間領域特性情報（spatial domain characteristic information）を取得する、空間領域情報取得ユニット（spatial domain information acquisition unit）と、
上記空間領域情報取得ユニットによって取得されたダウンリンク干渉の上記空間領域特性情報に基づいて干渉協調指示（interference coordination indication）を生成する、干渉協調指示生成ユニット（interference coordination indication generation unit）と、
上記生成された干渉協調指示を、隣接する基地局へ、バックグラウンドインターフェース通信（background interface communication）を用いて送信し、上記隣接する基地局にリソーススケジューリング（resource scheduling）を実行するように指示することによって、上記基地局における干渉を低減あるいは除去する、バックグラウンドインターフェース通信ユニット（background interface communication unit）と、を備えることを特徴とする基地局。
【請求項２】
上記隣接する基地局における干渉を低減あるいは除去するように、隣接する基地局から、上記バックグラウンドインターフェース通信ユニットを介して受信される干渉協調指示に基づいた、リソーススケジューリングを実行する、リソーススケジューリングユニット、をさらに備えることを特徴とする、請求項１に記載の基地局。
【請求項３】
上記干渉協調指示が、
（１）上記基地局によって使用される空間領域ビーム（spatial domain beam）の情報、
（２）上記基地局によって使用されない、もしくはもはや使用される予定のない空間領域ビームの情報、
（３）上記基地局が、隣接する基地局に使用することを要求しない空間領域ビームの情報、
（４）上記基地局が、隣接する基地局に使用することを要求する空間領域ビームの情報、
のうち少なくとも１つを示すために用いられることを特徴とする、請求項１または２に記載の基地局。
【請求項４】
上記干渉協調指示生成ユニットが、多数の空間領域ビームを空間領域ビームのサブ空間（spatial domain beam sub-space）に分類するように、構成されており、
上記干渉協調指示が、
（１）上記基地局によって使用される空間領域ビームのサブ空間の情報、
（２）上記基地局によって使用されない、もしくはもはや使用される予定のない空間領域ビームのサブ空間の情報、
（３）上記基地局が、隣接する基地局に使用することを要求しない空間領域ビームのサブ空間の情報、
（４）上記基地局が、隣接する基地局に使用することを要求する空間領域ビームのサブ空間の情報、
のうち少なくとも１つを示すために用いられることを特徴とする、請求項１または２に記載の基地局。
【請求項５】
請求項３または４に記載の基地局であって、
上記干渉協調指示が、
（１）上記基地局によって使用される空間領域ビームの情報、
（２）上記基地局によって使用されない、もしくはもはや使用される予定のない空間領域ビームの情報、
（３）上記基地局によって使用される空間領域ビームのサブ空間の情報、
（４）上記基地局によって使用されない、もしくはもはや使用される予定のない空間領域ビームのサブ空間の情報、
の１つを示すときに、
全指向性で、上記隣接する基地局へ、干渉協調指示を送信するように構成されている、上記バックグラウンドインターフェース通信ユニットを備えることを特徴とする基地局。
【請求項６】
請求項３または４に記載の基地局であって、
上記干渉協調指示が、
（１）上記基地局が、隣接する基地局に使用することを要求しない空間領域ビームの情報、
（２）上記基地局が、隣接する基地局に使用することを要求する空間領域ビームの情報、
（３）上記基地局が、隣接する基地局に使用することを要求しない空間領域ビームのサブ空間の情報、
（４）上記基地局が、隣接する基地局に使用することを要求する空間領域ビームのサブ空間の情報、
の１つを示すときに、
指向性をもって、干渉協調指示に関連付けられた隣接する基地局へ、上記干渉協調指示を送信するように構成されている、上記バックグラウンドインターフェース通信ユニットを備えることを特徴とする基地局。
【請求項７】
上記干渉協調指示が、ビットストリング（bit string）タイプのシグナリングを用いた、２レベルの指示であることを特徴とする、請求項１から６のいずれか１項に記載の基地局。
【請求項８】
上記干渉協調指示が、列挙（enumerative）タイプのシグナリングを用いた、複数レベルの指示であることを特徴とする、請求項１から６のいずれか１項に記載の基地局。
【請求項９】
上記干渉協調指示が、第１の次元がスペクトルリソースブロックを表し、第２の次元が空間領域ビームもしくは空間領域ビームのサブ空間を表す、２次元テーブルであることを特徴とする、請求項１から６のいずれか１項に記載の基地局。
【請求項１０】
上記干渉協調指示が１次元リストであって、
各要素が、空間領域ビームのインデックス番号と連結されたスペクトルリソースブロックのインデックス番号、または、空間領域ビームのサブ空間のインデックス番号と連結されたスペクトルリソースブロックのインデックス番号を含む、１次元リストであることを特徴とする、請求項１から６のいずれか１項に記載の基地局。
【請求項１１】
上記干渉協調指示が１次元リストであって、
各要素が、多数の連結された空間領域ビームのインデックス番号、または、空間領域ビームのサブ空間のインデックス番号、を含む１次元リストであることを特徴とする、請求項１から６のいずれか１項に記載の基地局。
【請求項１２】
上記干渉協調指示が、マルチユーザＭＩＭＯ通信負荷（multi-user MIMO communication load）を示す追加情報を含むことを特徴とする、請求項１から１１のいずれか１項に記載の基地局。
【請求項１３】
上記マルチユーザＭＩＭＯ通信負荷を示す追加情報が、ビットストリングタイプのシグナリングを用いた２レベルの指示を配置されたスペクトルリソースブロックである、または、
上記マルチユーザＭＩＭＯ通信負荷を示す追加情報が、列挙タイプのシグナリングを用いた複数レベルの指示を配置されたスペクトルリソースブロックであることを特徴とする、請求項１２に記載の基地局。
【請求項１４】
上記バックグラウンドインターフェース通信ユニットが、上記干渉協調指示を、全指向性で、上記隣接する基地局へ送信するように構成されていることを特徴とする、請求項１２または１３に記載の基地局。
【請求項１５】
干渉協調方法であって、
サービング基地局による、ダウンリンク干渉の空間領域特性情報の取得と、
上記サービング基地局による、ダウンリンク干渉の上記取得された空間領域特性情報に基づいた干渉協調指示の生成と、
上記サービング基地局による、バックグラウンドインターフェース通信を用いて、隣接する基地局への、上記生成された干渉協調指示の送信と、
上記サービング基地局における干渉を低減あるいは除去するように、上記隣接する基地局による、上記受信された干渉協調指示に基づいたリソーススケジューリングの実行と、を含むことを特徴とする、干渉協調方法。
【請求項１６】
上記干渉協調指示が、
（１）上記サービング基地局によって使用される空間領域ビームの情報、
（２）上記サービング基地局によって使用されない、もしくはもはや使用される予定のない空間領域ビームの情報、
（３）上記サービング基地局が、隣接する基地局に使用することを要求しない空間領域ビームの情報、
（４）上記サービング基地局が、隣接する基地局に使用することを要求する空間領域ビームの情報、のうち少なくとも１つを示すために用いられることを特徴とする、請求項１５に記載の干渉協調方法。
【請求項１７】
多数の空間領域ビームが、空間領域ビームのサブ空間に分類されており、
上記干渉協調指示が、
（１）上記サービング基地局によって使用される空間領域ビームのサブ空間の情報、
（２）上記サービング基地局によって使用されない、もしくはもはや使用される予定のない空間領域ビームのサブ空間の情報、
（３）上記サービング基地局が、隣接する基地局に使用することを要求しない空間領域ビームのサブ空間の情報、
（４）上記サービング基地局が、隣接する基地局に使用することを要求する空間領域ビームのサブ空間の情報、のうち少なくとも１つを示すために用いられることを特徴とする、請求項１５に記載の干渉協調方法。
【請求項１８】
上記干渉協調指示が、
（１）上記サービング基地局によって使用される空間領域ビームの情報、
（２）上記サービング基地局によって使用されない、もしくはもはや使用される予定のない空間領域ビームの情報、
（３）上記サービング基地局によって使用される空間領域ビームのサブ空間の情報、
（４）上記サービング基地局によって使用されない、もしくはもはや使用される予定のない空間領域ビームのサブ空間の情報、
の１つを示すときに、
上記サービング基地局が、全指向性で、上記サービング基地局と隣接する基地局へ、干渉協調指示を送信することを特徴とする、請求項１６または１７に記載の干渉協調方法。
【請求項１９】
請求項１６または１７に記載の干渉協調方法であって、
上記干渉協調指示が、
（１）上記サービング基地局が、隣接する基地局に使用することを要求しない空間領域ビームの情報、
（２）上記サービング基地局が、隣接する基地局に使用することを要求する空間領域ビームの情報、
（３）上記サービング基地局が、隣接する基地局に使用することを要求しない空間領域ビームのサブ空間の情報、
（４）上記サービング基地局が、隣接する基地局に使用することを要求する空間領域ビームのサブ空間の情報、
の１つを示すときに、
指向性をもって、干渉協調指示に関連付けられた隣接する基地局へ、上記干渉協調指示を送信することを特徴とする、請求項１６または１７に記載の干渉協調方法。
【請求項２０】
上記干渉協調指示が、ビットストリングタイプのシグナリングを用いた２レベルの指示であることを特徴とする、請求項１５から１９のいずれか１項に記載の干渉協調方法。
【請求項２１】
上記干渉協調指示が、列挙タイプのシグナリングを用いた複数レベルの指示であることを特徴とする、請求項１５から１９のいずれか１項に記載の干渉協調方法。
【請求項２２】
上記干渉協調指示が、第１の次元がスペクトルリソースブロックを表し、第２の次元が空間領域ビームもしくは空間領域ビームのサブ空間を表す、２次元テーブルであることを特徴とする、請求項１５から１９のいずれか１項に記載の干渉協調方法。
【請求項２３】
上記干渉協調指示が１次元リストであって、
各要素が、空間領域ビームのインデックス番号と連結されたスペクトルリソースブロックのインデックス番号、または、空間領域ビームのサブ空間のインデックス番号とが連結されたスペクトルリソースブロックのインデックス番号を含む、１次元リストであることを特徴とする、請求項１５から１９のいずれか１項に記載の干渉協調方法。
【請求項２４】
上記干渉協調指示が１次元リストであって、
各要素が、多数の連結された空間領域ビームのインデックス番号、または、空間領域ビームのサブ空間のインデックス番号、を含む１次元リストであることを特徴とする、請求項１５から１９のいずれか１項に記載の干渉協調方法。
【請求項２５】
上記干渉協調指示が、マルチユーザＭＩＭＯ通信負荷を示す追加情報を含むことを特徴とする、請求項１５から２４のいずれか１項に記載の干渉協調方法。
【請求項２６】
マルチユーザＭＩＭＯ通信負荷を示す追加情報が、ビットストリングタイプのシグナリングを用いた２レベルの指示を配置されたスペクトルリソースブロックである、または、
上記マルチユーザＭＩＭＯ通信付加を示す追加情報が、列挙タイプのシグナリングを用いた複数レベルの指示を配置されたスペクトルリソースブロックであることを特徴とする、請求項２５に記載の干渉協調方法。
【請求項２７】
全指向性で、上記サービング基地局と隣接する基地局へ、上記サービング基地局が、上記干渉協調情報を送信する、請求項２５または２６に記載の干渉協調方法。
【発明の詳細な説明】
【技術分野】
【０００１】
本発明は、通信技術に関するものであり、より具体的には、サービング基地局から隣接する基地局へ送信される干渉協調指示（interference coordination indication）を利用することにより、隣接する基地局から、サービング基地局（serving base station）上の干渉を減少・除去させることができる、ダウンリンク（downlink）マルチアンテナマルチ基地局干渉協調（multi-antenna multi-base station interference coordination）方法と、対応する基地局と、に関する。
【背景技術】
【０００２】
マルチアンテナ無線通信技術、または複数入力複数出力（MIMO：Multi In Multi Out）は、送信機と受信機との両方に複数本のアンテナを設置し、無線通信中の空間リソース（spatial resource）を利用することによって、空間多重化（spatial multiplex）の効果と空間ダイバーシティ（spatial diversity）の効果を得ることができる。情報理論の研究は、MIMOシステムの容量は送信アンテナ本数、及び受信アンテナ本数の最小値の増加に伴い、線形的に増加することが示している。
【０００３】
図１はMIMOシステムの模式図である。図１のように、送信機に設置された複数のアンテナと、各々の受信機に設置された複数のアンテナは、空間領域情報（spatial domain information）を含むマルチアンテナ無線チャネル（multi-antenna wireless channel）を構成する。さらに、直交周波数分割多重（OFDM：Orthogonal Frequency Division Multiplexing）技術は、強いフェージング防止（anti-fading）能力と、高い周波数利用率と、を有しており、従って、マルチパス（multi-path）環境とフェージング環境とにおける高速データ通信に適している。MIMOとOFDMとを組み合わせたMIMO-OFDM技術は、新世代の移動通信の中核的な技術となっている。
【０００４】
例えば、3GPP（3rd Generation Partnership Project）組織は、3Gセルラー通信技術の標準化に重要な役割を演じている移動通信分野の国際組織である。2004年の下半期以来、3GPP組織は、EUTRA（Evolved Universal Terrestrial Radio Access）とEUTRAN（Evolved Universal Terrestrial Radio Access Network）とを設計するための、いわゆるLTE（Long Term Evolution）プロジェクトに着手している。MIMO-OFDM技術は、LTEシステムのダウンリンクに利用されている。2008年4月中国深セン（Shenzhen）で開催された会議において、3GPP組織は、4Gセルラー通信システム（現在ではLTE-Aシステムと呼ばれる）の標準化についての議論を開始した。その会議において、「マルチアンテナマルチ基地局協調」の構想が多数の注目と支持とを集めた。この構想の中心的な着想は、複数の基地局間の協調によって、セル端に在るユーザのデータ伝送速度（data transmission rate）を向上できるように、ダウンリンクセル間干渉（downlink inter-cell interference）の問題を解消することである。
【０００５】
ダウンリンクマルチアンテナマルチ基地局（downlink multi-antenna multi-base station）システムには、マルチ基地局ジョイントプロセシング（multi-base station joint processing）とマルチ基地局干渉協調という、主に２つのカテゴリの協調方法がある。マルチ基地局ジョイントプロセシングは主として、以下のａからｃのスキーム（scheme）を含む。
【０００６】
ａ）仮想MIMO。複数の基地局における複数のアンテナを、より多くのアンテナを備えた単一基地局MIMOシステムとして考えることで、より高い空間多重化の効果と空間ダイバーシティの効果とが得られるようになる。さらに、単一基地局MIMOシステムの再利用の仕組みは、マルチアンテナマルチ基地局システムの実施の複雑さを減らすことに役立つ。
【０００７】
ｂ）シングル基地局の独立作動。個別にマルチアンテナを備える各シングル基地局は、より高い空間多重化の効果と空間ダイバーシティの効果とを得るために、多くのシングル基地局からのデータを足し合わせたものを、ユーザ装置（user equipment）に提供する。このスキームは実施が簡単で、低いシグナリングオーバーヘッド（signaling overhead）を有する。
【０００８】
ｃ）複数の基地局からのチャネルの単純な組み合わせ。ユーザ装置からみれば、協調する基地局からユーザ装置へのチャネルを、単一基地局MIMO技術が適用できる仮想チャネルを形成するために、直接足し合したり、直接組み合わしたりできる。
【０００９】
一方、マルチ基地局干渉協調は主として、以下の３つの協調スキーム（coordination scheme）を含む。
【００１０】
１）スペクトルリソースブロック（spectral resource block）に基づいた送信電力制御（transmission power control）。ある基地局は隣接する基地局へ、スペクトルリソースブロックのユニットの中の送信電力指示を送信する。報告ユニット（report unit）としての各スペクトルリソースブロックに対して、該指示は送信電力が予め定められた閾値を超えているか否か、を示す。送信電力指示の受信に際しては、基地局は、強い干渉を伴うスペクトルリソースブロックを割り当てられることからの干渉にユーザが影響されやすくなることを避けるために、リソーススケジューリング（resource scheduling）などの測定をすることができる。このことは、3GPP TS 36.423「X2アプリケーションプロトコル（X2 application protocol）」に記載されている。スペクトルリソースブロックに基づいた送信電力制御のスキームは、容易さ、柔軟性、かつ低シグナリングオーバーヘッド、という利点を有している。
【００１１】
２）空間領域ビーム協調（spatial domain beam coordination）。ユーザ装置は、例えば、隣接する基地局によって利用されるどの空間領域ビームが大きな干渉を起こすこと、空間領域ビームが小さい干渉を有すること、などを示す、隣接する基地局からの干渉に関連する空間領域特性情報（spatial domain characteristic information）を基地局へフィードバックする。該基地局は、干渉協調のために、リソーススケジューリングなどを測定することが可能な隣接する基地局へ、干渉に関する空間領域特性情報を報知することができる。このことは3GPP R1-094613「Best Companion Reporting for Single-Cell MU-MIMO Pairing」Alcatel-Lucent社、Alcatel-Lucent Shanghai Bellに記載されている。空間領域ビーム協調に基づいたスキームは、フィードバックオーバーヘッド（feedback overhead）が低く、実施が簡単であるという利点を有するが、基地局間バックグラウンドシグナリング（inter-base station background signaling）を組み込みことができない。
【００１２】
３）２）の概念に基づいた基地局間バックグラウンドシグナリングの設計。基地局は、隣接する基地局によって空間領域ビームが使用される場合に、空間領域ビームが大きな干渉を引き起こすこと、もしくは、空間領域ビームが最小の干渉を有することを、その隣接基地局に通知するために、スペクトルリソースブロックのユニットの中の4ビットを使用する。このことは、3GPP R1-094555「Considerations on Spatial Domain Coordination in LTE-A」CATT社に記載されている。このスキームは、繰り返しになるが、信号オーバーヘッドが低いという利点があるものの、空間領域ビームがその隣接する基地局によって使用される場合に、空間領域ビームが大きい干渉を引き起こすこと、もしくは、空間領域ビームが最小の干渉を有することを、該基地局が、その隣接する基地局に通知するように、該基地局が構成されているシナリオに対してのみ適している。さらに、このスキームは１度に１ビームしか通知することができないので、ネットワーク全体の干渉が穏やかである時には、マルチユーザ（multi-user）MIMO通信においては不十分な干渉協調情報、または、余分な干渉協調情報となってしまう。
【発明の概要】
【発明が解決しようとする課題】
【００１３】
本発明の目的は、マルチアンテナマルチ基地局干渉協調に対して新しい方法と対応する基地局を提供することによって、公知技術のダウンリンクマルチ基地局干渉協調指示の不適当な設計の問題を解決することである。
【課題を解決するための手段】
【００１４】
本発明の第１の解決法によれば、ダウンリンク干渉の空間領域特性情報を取得するための空間領域情報取得ユニットと、上記空間領域情報取得ユニットによって取得されたダウンリンク干渉の上記空間領域特性情報に基づいて干渉協調指示を生成するための干渉協調指示生成ユニットと、上記生成された干渉協調指示を、隣接する基地局へ、バックグラウンドインターフェース通信（background interface communication）を用いて通信し、隣接する基地局にリソーススケジューリングを実行するように指示し、上記基地局に対する干渉を低減あるいは除去するためのバックグラウンドインターフェース通信ユニットと、を備える基地局が提供される。
【００１５】
加えて、上記隣接する基地局に対する干渉を低減あるいは除去するように、上記基地局は、上記バックグラウンドインターフェース通信ユニットを介して、隣接する基地局から受信した干渉協調指示に基づいたリソーススケジューリングを実行するためのリソーススケジューリングユニット（resource scheduling unit）を備えてもよい。
【００１６】
本発明の第２の解決法によれば、サービング基地局によって、ダウンリンク干渉の空間領域特性情報を取得すること、上記サービング基地局によって、ダウンリンク干渉の上記取得された空間領域特性情報に基づいた干渉協調指示を生成すること、上記サービング基地局によって、バックグラウンドインターフェース通信を用いて、隣接する基地局に、上記生成された干渉協調指示を送信すること、上記隣接する基地局によって、上記サービング基地局に対する干渉を低減あるいは除去するように、上記受信された干渉協調指示に基づいたリソーススケジューリングを実行すること、を含む、干渉協調方法が提供される。
【００１７】
上記干渉協調指示が以下の少なくとも１つを示すために使用されることが好ましい。
［１］上記サービング基地局によって使用される空間領域ビームについての情報。
［２］上記サービング基地局によって使用されない、もしくはもはや使用される予定のない空間領域ビームについての情報。
［３］上記サービング基地局が、隣接する基地局に使用することを要求しない、空間領域ビームについての情報。
［４］上記サービング基地局が、隣接する基地局に使用することを要求する、空間領域ビームについての情報。
【００１８】
たくさんの空間領域ビームは空間領域ビームのサブ空間（spatial domain beam sub-space）に分類されることが好ましく、上記干渉協調指示は以下の少なくとも１つを示すために使用されることが好ましい。
［１］上記サービング基地局によって使用される空間領域ビームのサブ空間についての情報。
［２］上記サービング基地局によって使用されない、もしくはもはや使用される予定のない空間領域ビームのサブ空間についての情報。
［３］上記サービング基地局が、隣接する基地局に使用することを要求しない、空間領域ビームのサブ空間についての情報。
［４］上記サービング基地局が、隣接する基地局に使用することを要求する、空間領域ビームのサブ空間についての情報。
【００１９】
上記サービング基地局は、上記干渉協調指示が以下のうちの１つを示す場合、干渉協調指示を上記サービング基地局に隣接する基地局へ全指向で送信することが好ましい。
［１］上記サービング基地局によって使用される空間領域ビームについての情報。
［２］上記サービング基地局によって使用されない、もしくはもはや使用される予定のない空間領域ビームについての情報。
［３］上記サービング基地局によって使用される空間領域ビームのサブ空間についての情報。
［４］上記サービング基地局によって使用されない、もしくはもはや使用される予定のない空間領域ビームのサブ空間についての情報。
【００２０】
上記サービング基地局は、上記干渉協調指示が以下のうちの１つを示す場合、干渉協調指示を上記干渉協調指示と関連付けられた隣接する基地局へ指向性を持たせて送信することが好ましい。
［１］上記サービング基地局が、上記隣接する基地局に使用することを要求しない、空間領域ビームについての情報。
［２］上記サービング基地局が上記隣接する基地局に使用することを要求する空間領域ビームについての情報。
［３］上記サービング基地局が、上記隣接する基地局に使用することを要求しない、空間領域ビームのサブ空間についての情報。
［４］上記サービング基地局が上記隣接する基地局に使用することを要求する空間領域ビームのサブ空間についての情報。
【００２１】
上記干渉協調指示は、ビットストリング（bit string）タイプのシグナリングを用いる２レベルの指示（two level indication）であることが望ましい。もしくは、上記干渉協調指示は、列挙（enumerative）タイプのシグナリングを用いた複数レベルの指示（multi-level indication）であることが望ましい。あるいは、上記干渉協調指示は、スペクトルリソースブロックを表す第１の次元と、空間領域ビームもしくは空間領域ビームのサブ空間を表す第２の次元とからなる、２次元テーブルであることが望ましい。あるいは、上記干渉協調指示は、空間領域ビームのインデックス番号と結び付けられたスペクトルリソースブロックのインデックス番号、または、空間領域ビームのサブ空間のインデックス番号と結び付けられたスペクトルリソースブロックのインデックス番号を含む各要素を１次元のリストとすることが望ましい。
【００２２】
上記干渉協調指示はマルチユーザMIMOの通信負荷（multi-user MIMO communication load）を示す追加情報を含むことが望ましい。マルチユーザMIMOの通信負荷を示す上記追加情報は、ビットストリングタイプのシグナリングを用いて２レベルの指示を配置したスペクトルリソースブロックであることがより望ましい。あるいは、マルチユーザMIMOの通信負荷を示す上記追加情報は、列挙タイプのシグナリングを用いてマルチレベルの指示を配置したスペクトルリソースブロックであることが望ましい。上記サービング基地局は、上記干渉協調指示をその隣接する基地局へ全指向で送信できることがより望ましい。
【発明の効果】
【００２３】
本発明に係る上記干渉協調方法を採用したマルチアンテナマルチ基地局システムにおいては、分散セル間干渉協調を達成するために、基地局間のシグナリングのやりとりが少しだけ必要とされる。従って、本発明は、シグナリングオーバーヘッドが低く、実施が簡単で、遅延が少なく、柔軟に適応できるなどの利点を有している。
【図面の簡単な説明】
【００２４】
上述の事柄など、及び本発明の特徴と長所は、以下において図面を参照しながら説明される、好ましい実施形態から、より明確なものになるであろう。
【図１】MIMOシステムの概略図である。
【図２】マルチセルセルラー通信システム（multi-cell cellular communication system）の概略図である。
【図３】本発明に係る干渉協調（interference coordination）の方法を示すフローチャートである。
【図４】干渉協調指示の第１の具体的な形態を示す概略図である。
【図５】干渉協調指示の第２の具体的な形態を示す概略図である。
【図６】基地局によって生成される干渉協調指示の、実施形態１、５、９、１３を示す概略図である。
【図７】基地局によって生成される干渉協調指示の、実施形態２、６、１０、１４を示す概略図である。
【図８】基地局によって生成される干渉協調指示の、実施形態３、７、１１、１５を示す概略図である。
【図９】基地局によって生成される干渉協調指示の、実施形態４、８、１２、１６を示す概略図である。
【図１０】基地局によって生成される干渉協調指示の、実施形態３３を示す概略図である。
【図１１】基地局によって生成される干渉協調指示の、実施形態３４を示す概略図である。
【図１２】本発明に係る基地局を示すブロック図である。
【発明を実施するための形態】
【００２５】
本発明に係る好ましい実施形態は、図面を参照して詳細に述べられる。以下の説明では、本発明の概念が不明瞭にならないように、不必要な細部と機能とは省略されている。
【００２６】
本発明の実施工程をわかりやすく詳細に説明するために、ダウンリンクLTEセルラー通信システム（downlink LTE cellular communication system）に適用可能な、いくつかの具体例を以下に挙げる。ここで、本発明は、上記の実施形態で示された適用例に限定されない、ということに注意すべきである。むしろ、本発明は、将来のLTE-Aシステムなど、他の通信システムにも適用可能である。
【００２７】
図２は、マルチセルセルラー通信システムの概略図である。上記セルラーシステムは、サービスカバレッジエリア（service coverage area）を多数の隣り合う無線カバレッジエリア（wireless coverage area）、すなわち多数のセルに分割する。図２では、全サービスエリアはセル１００と、１０２と、１０４とによって形成されており、それぞれのセルは説明に役立つように６角形として描かれている。基地局（ＢＳ）２００と、２０２と、２０４とは、それぞれセル１００と、１０２と、１０４とに関連付けられる。当業者に知られているように、ＢＳ２００−２０４のそれぞれが少なくとも１つの送信器（transmitter）と１つの受信器（receiver）とを備えている。ここで、一般にセルのサービングノード（serving node）であるＢＳは、リソーススケジューリングの機能を有する独立ＢＳであってもよいし、独立ＢＳに属する送信ノード（transmitting node）であってもよいし、（一般的にセルのカバレッジをさらに拡大するために構成される）リレーノード（relay node）、などであってもよい。図２に示す例によれば、各ＢＳ２００−２０４は対応するセル１００−１０４のうちの１つの特定のエリアに設置されており、全指向性アンテナ（omni-directional antenna）を備えている。しかし、セルラー通信システムのためのセル配置において、各ＢＳ２００−２０４は、対応するセル１００−１０４のうちの１つの一部分のエリア（セクターと一般に呼ばれる）を指向的にカバーするために、指向性アンテナを備えることも可能である。
【００２８】
従って、図２に示されるようなマルチセルセルラー通信システムの図は単なる例であり、本発明に係る上記セルラーシステムの実施が、上で示した特定の制約に限定されることを意味しない。
【００２９】
図２に示されるように、上記ＢＳ２００−２０４は、X2インターフェース３００、３０２、３０４を介して、相互に接続されている。LTEシステムにおいては、基地局と、ラジオネットワーク制御ユニット（radio network control unit）と、コアネットワーク（core network）とを含む、３レイヤノードネットワークアーキテクチャ（three-layer node architecture）は、ラジオネットワーク制御ユニットの機能が基地局に設けられている２レイヤノードネットワークアーキテクチャ内に単純化される。そして、「X2」と名付けられた有線インターフェース（wired interface）は基地局間の協調と通信のために定義される。
【００３０】
図２において、上記ＢＳ２００−２０４は、エアインターフェース（A1 interface：air interface）３１０、３１２、３１４を介して相互に接続されている。将来の通信システムにおいては、リレーノードの概念を導入することが可能である。リレーノードは無線インターフェースを介して互いに接続されており、基地局は特別なリレーノードと考えることができる。従って、「A1」と名付けられた無線インターフェースを、基地局間の協調と通信とのために利用することができる。
【００３１】
加えて、ＢＳ２００−２４０の上位レイヤエンティティー（upper layer entity）２２０も図２には描かれているが、この上位レイヤエンティティー（upper layer entity）２２０は、ゲートウェイ、あるいは移動度管理エンティティー（mobility management entity）のような別のネットワークのエンティティーであってもよい。上位レイヤエンティティー（upper layer entity）２２０は、S1インターフェース３２０、３２２、３２４をそれぞれ介して、ＢＳ２００−２４０と接続されている。LTEシステムにおいては、「S1」と名付けられた有線インターフェースは、上位レイヤエンティティーと基地局との間の協調と通信のために定義される。
【００３２】
多数のユーザ装置（ＵＥ）４００−４３０は、図２に示されるように、上記セル１００−１０４上に分布している。当業者に知られているように、それぞれのＵＥ４００−４３０は送信器と受信器と移動端末制御ユニット（mobile terminal control unit）を備えている。それぞれのＵＥ４００−４３０は、サービングＢＳ（ＢＳ２００−２４０のうちの１つ）を介して、セルラー通信システムにアクセスすることができる。図２では１６個のＵＥのみが描かれているが、実際には大量のＵＥが存在していると理解されるべきである。この意味において、図２におけるＵＥの描画もまた、例示のみを目的としているものである。それぞれのＵＥ４００−４３０は、サービングＢＳを介して、セルラー通信システムにアクセスすることができる。通信サービスをあるＵＥに直接提供するＢＳは、該ＵＥのサービングＢＳと呼ばれ、そのほかのＢＳは該ＵＥの非サービングＢＳ（non-serving BSs）と呼ばれる。上記非サービングＢＳは、上記サービングＢＳの協調的なＢＳとして機能し、上記サービングＢＳを通してＵＥに通信サービスを提供することができる。
【００３３】
本実施形態の説明のため、ＵＥ４１６は２本の受信アンテナを備え、ダウンリンクマルチアンテナマルチＢＳ協調モード（downlink multi-antenna multi-BS coordination mode）で動作する、と考えられている。該ＵＥ４１６はそのサービング基地局としてＢＳ２０２を有し、その非サービング基地局としてＢＳ２００と２０４を有している。本実施形態はＵＥ４１６に着目するが、そのことが、本発明が１つのＵＥのシナリオのみに適用可能であるということを意味ないことに注意すべきである。むしろ、本発明は複数のＵＥのシナリオに完全に適用可能である。例えば、本発明の方法は図２に示されたＵＥ４０８、４１０、４３０などに適用することができる。さらに、本実施形態の前記シナリオでは、１つのサービングＢＳと２つの非サービングＢＳが存在する。もちろん、これは、本発明が特定の制約に限定されることを意味しない。実際には、サービングＢＳの数と非サービングＢＳの数は何らの特定の制限をすることなく決定することが可能である。
【００３４】
記述されている特定の例では、LTEシステムとして特定の構成が考えられている。例えば、3GPP文書TS 36.213 V8.3.0「Evolved Universal Terrestrial Radio Access (E-UTRA); Physical Layer Procedures」では、７つのダウンリンクMIMOデータ送信アプローチが定義されている。
【００３５】
１）単アンテナ（single antenna）送信。１つのシングルアンテナが信号送信に用いられるもので、MIMOシステムの特殊な例である。このアプローチはシングルレイヤのデータのみを送信可能である。
【００３６】
２）送信ダイバーシティ。MIMOシステムにおいて、信号の受信品質を向上させるように、時間ダイバーシティ効果、及び周波数ダイバーシティ効果の少なくとも一方を送信信号に利用することができる。このアプローチはシングルレイヤのデータのみを送信可能である。
【００３７】
３）開ループ（open-loop）空間分割多重。これは、ＵＥからフィードバックされた空間プレコーディング情報（spatial pre-coding information）を必要としない空間分割多重である。
【００３８】
４）閉ループ（closed-loop）空間分割多重。これは、ＵＥからフィードバックされるチャネル状態情報（channel state information）を要求する、空間分割多重である。
【００３９】
５）マルチユーザMIMO。複数のＵＥがMIMOシステムのダウンリンク通信に同時に参加している。
【００４０】
６）閉ループシングルレイヤプレコーディング（closed-loop single layer pre-coding）。１つのシングルレイヤのデータのみがMIMOシステムのプレコーディング技術を用いて送信される。
【００４１】
７）ビームフォーミング送信（beam forming transmission）。ビームフォーミング技術がMIMOシステムに適用されている。専用のリファレンス信号（reference signal）がＵＥにおけるデータ復調に用いられる。
【００４２】
なお、本発明の説明の中では、送信ダイバーシティに基づく送信アプローチがＵＥのサービングＢＳとＵＥの非サービングＢＳとに適用されるとき、送信ダイバーシティは、時間ダイバーシティ、周波数ダイバーシティ、空間ダイバーシティ、位相遅延（phase delay）ダイバーシティ、あるいは様々なダイバーシティ技術のあらゆる組み合わせや拡張であってもよい。さらに、ダイバーシティ処理（diversity processing）は中心に集めてもよいし、分散させてもよい。LTEシステムで定義される、ダウンリンクデータ送信アプローチの利用は、本発明に係る実施形態を説明する目的のためだけのものであり、本発明に係る実施形態が上記の制約に限定されることを意味しない、ということに注意すべきである。
【００４３】
加えて、3GPP文書TR 25.814 V1.5.0「Physical Layer Aspects for Evolved UTRA」、R1-063013「Approved minutes of 3GPP TSG RAN WG1 #46 in Tallinn」、及びR1-080631「Report of 3GPP TSG RAN WG1 #51bis v1.0.0」によれば、２０MHzの帯域幅を持つダウンリンクLTEシステムは、周波数領域内におよそ１００のスペクトルリソースブロックを有している。もし、周波数帯域のサイズがスペクトルリソースブロックのサイズと等しい場合、２０MHzの帯域幅を持つダウンリンクLTEシステムはおよそ１００の周波数帯域を有することになる。周波数帯域のサイズがスペクトルリソースブロックのサイズの４倍の大きさである場合、そのようなダウンリンクLTEシステムはおよそ２５の周波数帯域を有することになる。ここで、周波数帯の定義は、本発明に係る実施形態を説明するための例に過ぎない。本発明は、上記の定義に限定されず、他の定義にも完全に適用することができる。本発明の実施形態を読むことにより、当業者は、本発明の解決法が周波数帯域の一般的な定義に対しても、適用可能であることを理解できるであろう。
【００４４】
本実施形態の中では、以下のマルチＢＳ干渉協調のシナリオが仮定されている。
【００４５】
シナリオ例。あるセル内のＵＥは、現在のＢＳのダウンリンクチャネル情報、及び隣接するＢＳのダウンリンクチャネル情報、のいずれか一方を、現在のＢＳへフィードバックする。該フィードバックは、特定のフィードバックシグナリング（feedback signaling）、あるいはＵＥから送信されるアップリンクリファレンス信号を用いて行われ得る。ＢＳ間にはバックグラウンドインターフェース通信（background interface communication）が存在する。前記バックグラウンドインターフェースとは、X2インターフェース３００−３０４及びエアインターフェースの両者もしくは一方、もしくは、「A1インターフェース」３１０−３１４及びS1インターフェース３２０−３２４の両者もしくは一方のことである。さらに、バックグラウンドインターフェース通信の頻度は、多くても２０ｍｓに１回でよい。
【００４６】
上記例示されたシナリオにおいて仮定された状態は、本発明に係る実施形態を説明する目的のためだけに示されたものであるということに注意すべきである。本発明は上記の仮定には限定されず、他の仮定に対しても十分に適用可能である。本発明の実施形態を読むことにより、当業者は、本発明の解決法が、一般的な状況に対しても、適用可能であることを理解できるであろう。
【００４７】
図３は、本発明の実施形態に係る、ダウンリンクマルチアンテナマルチ基地局干渉協調の方法を示すフローチャートである。
【００４８】
図３に示すように、本発明の実施形態に係る方法は、以下のステップを含む。
【００４９】
ステップ５０５において、サービングＢＳはダウンリンク干渉のための空間領域特性情報を取得する。
【００５０】
ＵＥは、特定のフィードバックシグナリングによって、ダウンリンク干渉のための空間領域特性情報を、サービングＢＳへ送信することができる。あるいは、該ＵＥは、該サービングＢＳがダウンリンク干渉のための空間領域特性情報を取得できるように、アップリンクリファレンス信号をサービングＢＳへ送信することができる。
【００５１】
ステップ５１０において、サービングＢＳは上記取得されたダウンリンク干渉のための空間領域特性情報に基づいて、干渉協調指示を生成する。
【００５２】
ここで、上記干渉協調指示は以下のうちの少なくとも１つを示すために使用され得る。
［１］上記サービング基地局によって使用される空間領域ビームについての情報。
［２］上記サービング基地局によって使用されない、もしくはもはや使用される予定のない空間領域ビームについての情報。
［３］上記サービング基地局が、隣接する基地局に使用することを要求しない、空間領域ビームについての情報。
［４］上記サービング基地局が、隣接する基地局に使用することを要求する、空間領域ビームについての情報。
【００５３】
さらに、たくさんの空間領域ビームが、空間領域ビームのサブ空間に分類されることが可能である。この場合、上記干渉協調指示は以下のうちの少なくとも１つを示すために使用され得る。
［１］上記サービング基地局によって使用される空間領域ビームのサブ空間についての情報。
［２］上記サービング基地局によって使用されない、もしくはもはや使用される予定のない空間領域ビームのサブ空間についての情報。
［３］上記サービング基地局が、隣接する基地局に使用することを要求しない、空間領域ビームのサブ空間についての情報。
［４］上記サービング基地局が、隣接する基地局に使用することを要求する、空間領域ビームのサブ空間についての情報。
【００５４】
上記干渉協調指示はビットストリング（bit string）タイプのシグナリングを用いる２レベルの指示であってもよい。
【００５５】
もしくは、上記干渉協調指示は、列挙タイプのシグナリングを用いた複数レベルの指示であってもよい。
【００５６】
あるいは、上記干渉協調指示は、スペクトルリソースブロックを表す第１の次元と、空間領域ビームもしくは空間領域ビームのサブ空間を表す第２の次元とからなる、２次元テーブルであってもよい。そして、全てのスペクトルリソースブロックは、さらに、全帯域の中に組み込まれていてもよい。この場合には、上記干渉協調指示を、空間領域のみを含む１次元のリストに単純化することができる。
【００５７】
あるいは、２次元の空間‐周波数領域送信電力制御指示（two-dimensional spatial-frequency domain transmission power control indication）を構成するように、上記干渉協調指示は、前述の方法１）で紹介されたように、スペクトルリソースブロックに基づいた送信電力制御の指示と組み合わせてもよい。
【００５８】
あるいは、上記干渉協調指示は、空間領域ビームのためのインデックス番号と結び付けられたスペクトルリソースブロックのためのインデックス番号、または、空間領域ビームのサブ空間のためのインデックス番号と結び付けられたスペクトルリソースブロックのためのインデックス番号を含む各要素を、１次元リストとすることができる。
【００５９】
さらに、上記干渉協調指示は、マルチユーザMIMO通信負荷（multi-user MIMO communication load）を示す追加情報を含んでもよい。マルチユーザMIMO通信負荷を示す上記追加情報は、ビットストリングタイプのシグナリングを用いて２レベルの指示を配置したスペクトルリソースブロックであってもよい。あるいは、上記追加情報は、列挙タイプのシグナリングを用い、マルチレベルの指示を配置したスペクトルリソースブロックであってもよい。
【００６０】
本実施形態では、３４の適用例が、それぞれ図４と図５に図示された２つの指示形式を用いて述べられている。
【００６１】
図４では、２レベルの干渉協調指示だけが考慮され、干渉協調指示（「有」の指示、または「無」の指示）を決定するために状態Cが用いられることが仮定されている。状態Cが満たされない場合には、「無」の指示が生成され、そうでない場合には、「有」の指示が生成される。図４において、状態Cは、エネルギー強度閾値（energy strength threshold）、スケジューリング周波数、サービス品質満足閾値（service quality satisfaction threshold）など、任意の状態でよい。状態Cは様々な方法で決定されることにも注意すべきである。例えば、状態Cは、システム負荷状態（system load situation）、干渉状態（interference situation）、境界のユーザ数、その他のようなＢＳ自身の状態に従って、ＢＳの構成における上位レイヤのネットワークによって、もしくは、個々のＢＳによって決定され得る。加えて、上記干渉協調指示の意味をＢＳがより良く理解できるように、上記ＢＳはそれらの状態Cを、それらのバックグラウンドインターフェースを介して、相互に伝え合うことができる。もちろん、上記干渉協調指示は、ＢＳ間で状態を交換することなく実行され得る。従って、図４において、閾値Kは、上位ネットワークによって構成されるか、個々のＢＳによって独立に決定されるか、あるいは、それらのバックグラウンドインターフェースを介してＢＳ間で交換されるか、のいずれかが可能である。スペクトルリソースブロック１−１０が考えられている。スペクトルリソースブロック１−１０に関連する干渉協調指示レベル（interference coordination indication level）は、それぞれ、無、無、無、有、有、有、無、無、無、無である（無は「無」の指示を意味し、有は「有」の指示を意味している）。これらの干渉協調指示レベルは表１に示すような干渉協調指示コーディング表を用いて符号化され得る。このようにして、スペクトルリソースブロック１−１０に関連する、干渉協調指示コード（interference coordination indication code）は、0、0、0、1、1、1、0、0、0、0となり得る。
【００６２】
【表１】
2013516799.tif 000003
【００６３】
表１に示された干渉協調指示符号化は、干渉協調指示レベルと干渉協調指示コードとの間のマッピングの１例に過ぎないことに注意すべきである。レベルとコードとに１対１のマッピングがありさえすれば、他の干渉協調指示符号化アプローチを、本発明の実施に用いることができる。
【００６４】
図５において、複数のレベル（この例では３レベル）の干渉協調指示が考えられていて、干渉協調指示（低レベル、中レベル、高レベル）を決定するために追加の状態C１とC２とが用いられている、と仮定されている。上述のように、もし、状態Cが満たされない場合には、「無」の指示が生成され、そうでない場合には、「有」の指示が生成される。さらに、もし、状態C１が満たされない場合には、「低レベル（low level）」指示が生成される。もし、状態C１が満たされ、状態C２が満たされない場合には、「中レベル（middle level）」指示が生成される。もし、状態C２が満たされる場合には、「高レベル（high level）」指示が生成される。図５において、状態C１とC２とは、エネルギー強度閾値（energy strength threshold）、スケジューリング周波数、サービス品質満足閾値（service quality satisfaction threshold）など、任意の状態でよい。状態Cが様々な方法で決定されることにも注意すべきである。例えば、状態C１とC２とは、システム負荷状態（system load situation）、干渉状態（interference situation）、境界上のユーザ数などのような、ＢＳの構成における上位レイヤのネットワーク、もしくは、ＢＳ自身の状態に従って個々のＢＳによって決定される。加えて、上記干渉協調指示の意味をＢＳがより良く理解できるように、上記ＢＳはそれらの状態C１とC２とを、それらのバックグラウンドインターフェースを介して、相互に伝送することができる。もちろん、上記干渉協調指示は、ＢＳ間で状態を交換することなく実行され得る。従って、図５において、閾値KMとKHは、上位ネットワークによって構成されるか、個々のＢＳによって独立に決定されるか、あるいは、それらのバックグラウンドインターフェースを介してＢＳ間で交換されるか、のいずれかが可能である。
【００６５】
さらに、スペクトルリソースブロック１−１０が考えられている。スペクトルリソースブロック１−１０に関連する干渉協調指示レベルは、それぞれ、中、低、低、中、高、中、低、低、低、低である（低は「低レベル」指示を意味し、中は「中レベル」指示を意味し、高は「高レベル」指示を意味している）。これらの干渉協調指示レベルは表２に示すような干渉協調指示符号化表を用いて符号化され得る。このようにして、スペクトルリソースブロック１−１０に関連する、干渉協調指示コード（interference coordination indication code）は、10、01、01、10、11、10、01、01、01、01となり得る。
【００６６】
【表２】
2013516799.tif 000004
【００６７】
表２に示された干渉協調指示符号化は、干渉協調指示レベルと干渉協調指示コードとの間のマッピングの１例に過ぎないことに注意すべきである。レベルとコードとの１対１のマッピングでありさえすれば、他の干渉協調指示符号化アプローチを、本発明の実施に用いることができる。
【００６８】
図４と図５において、具体的には、干渉協調分析（interference coordination analysis）は、それぞれのスペクトルリソースブロックにおいて実行されることに注意すべきである。しかし、実際には、スペクトルリソースブロックは周波数帯域に分類され得るし、干渉協調分析は周波数帯単位毎に実施され得る。このようにして、より低い信号オーバーヘッドを達成することができる。本実施形態は、スペクトルリソースブロックの分類に基づく実施を排除しない。本発明に係る全ての実施形態は、スペクトルリソースブロックのインデックス番号を、周波数帯域のインデックス番号に置き換えること、および、周波数帯域をスペクトルリソースブロックと同等のものと考えることによって実施することができる。
【００６９】
次に、本発明に係る干渉協調指示を生成するための方法を、特定の例を参照しながら詳細に説明する。本発明によれば、以下に示すデータ構造の少なくともいずれか１つは、干渉協調指示に使用することができる。
１）シグナリングに干渉協調指示の配列を使用した、２次元テーブル。
２）シグナリンクに空間領域ビーム／空間領域ビームのサブ空間のインデックス番号と連結されたスペクトルリソースブロックのインデックス番号を使用した、１次元リスト。
３）シグナリングに多数の空間領域ビーム／空間領域ビームのサブ空間のインデックス番号が連結された配列を使用した、１次元リスト。
【００７０】
例１：（シグナリングに干渉協調指示の配列を直接使用した）２次元テーブル。
【００７１】
干渉協調指示は、サービングＢＳによって使用されるであろう、空間領域ビーム上に情報を示す。図６は、図４に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、ビットストリングタイプのシグナリングを用いた２レベルの指示である。つまり、「1」は対応する位置におけるビームが次の２０ｍｓでサービングＢＳによって使用されるであろう、ということを示し、「0」はそうではないことを示している。従って、干渉協調指示シグナリングは、スペクトルリソースブロック１−１０に対応する干渉協調指示ビットの連結によって形成される。もし、シグナリング「1」が、空間リソースブロックに対応する空間領域ビームにおけるサービングＢＳの送信電力が次の２０ｍｓで閾値を超えることを指示するものであると解釈される場合、本実施形態は、スペクトルリソースブロックに基づいた拡張された送信電力制御（extended transmission power control）であると考えられることに注意すべきである。
【００７２】
例２：（シグナリングに干渉協調指示の配列を直接使用した）２次元テーブル。
【００７３】
干渉協調指示は、サービングＢＳによって使用されるであろう、空間領域ビームのサブ空間の情報を示す。図７は、図４に示したような指示形式を使用している本実施形態を示している。１６のビームが、予め４つのサブ空間に分類されていることが仮定されている。各スペクトルリソースブロック１−１０に対して、各サブ空間と関連する干渉協調指示信号は、ビットストリングタイプのシグナリングを用いた２レベルの指示である。つまり、「1」は対応する位置におけるサブ空間が次の２０ｍｓでサービングＢＳによって使用されるであろう、ということを示し、「0」はそうではないことを示している。従って、干渉協調指示信号は、スペクトルリソースブロック１−１０に対応する干渉協調指示ビットの連結によって形成される。もし、シグナリング「1」が、空間リソースブロックに対応するサブ空間におけるサービングＢＳの送信電力が次の２０ｍｓで閾値を超えることを指示するものであると解釈される場合、本実施形態は、スペクトルリソースブロックに基づいた拡張された送信電力制御であると考えられることに注意すべきである。
【００７４】
例３：（シグナリングに干渉協調指示の配列を直接使用した）２次元テーブル。
【００７５】
干渉協調指示は、サービングＢＳによって使用されるであろう、空間領域ビームの情報を示す。図８は、図５に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるビームが高い確率で使用されるであろうということを示し、「中（middle）」は、次の２０ｍｓでサービングＢＳによって、対応する位置におけるビームが中程度の確率で使用されるであろう、ということを示し、「低（low）」は次の２０ｍｓでサービングＢＳによって、対応する位置におけるビームが使用されることはまずないであろう、ということを示している。従って、干渉協調指示シグナリングは、スペクトルリソースブロック１−１０に対応する干渉協調指示レベルの連結によって形成される。
【００７６】
例４：（シグナリングに干渉協調指示の配列を直接使用した）２次元テーブル。
【００７７】
干渉協調指示は、サービングＢＳによって使用されるであろう、空間領域ビームのサブ空間の情報を示す。図９は、図５に示したような指示形式を使用している本実施形態を示している。１６のビームが、予め４つのサブ空間に分類されていることが仮定されている。各スペクトルリソースブロック１−１０に対して、各空間領域ビームのサブ空間と関連する干渉協調指示シグナリングは、列挙タイプのシグナリングを用いた複数レベルの指示である。つまり、「高（high）」は、次の２０ｍｓでサービングＢＳによって、対応する位置におけるサブ空間が高い確率で使用されるであろうということを示し、「中（middle）」は、次の２０ｍｓでサービングＢＳによって、対応する位置におけるサブ空間が中程度の確率で使用されるであろう、ということを示し、「低（low）」は次の２０ｍｓでサービングＢＳによって、対応する位置におけるサブ空間が使用されることはまずないであろう、ということを示している。従って、干渉協調指示シグナリングは、スペクトルリソースブロック１−１０に対応する干渉協調指示レベルの連結によって形成される。
【００７８】
例５：（シグナリングに干渉協調指示の配列を直接使用した）２次元テーブル。
【００７９】
干渉協調指示は、サービングＢＳによって使用されないであろう、空間領域ビームの情報を示す。図６は、図４に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、ビットストリングタイプのシグナリングを用いた２レベルの指示である。つまり、「1」は対応する位置におけるビームが次の２０ｍｓでサービングＢＳによって使用されないであろう、ということを示し、「0」はそうではないことを示している。従って、干渉協調指示シグナリングは、スペクトルリソースブロック１−１０に対応する干渉協調指示ビットの連結によって形成される。もし、シグナリング「1」が、空間リソースブロックに対応する空間領域ビームにおけるサービングＢＳの送信電力が次の２０ｍｓで閾値を超えないことを指示するものであると解釈される場合、本実施形態は、スペクトルリソースブロックに基づいた拡張された送信電力制御であると考えられることに注意すべきである。
【００８０】
例６：（シグナリングに干渉協調指示の配列を直接使用した）２次元テーブル。
【００８１】
干渉協調指示は、サービングＢＳによって使用されないであろう、空間領域ビームのサブ空間の情報を示す。図７は、図４に示したような指示形式を使用している本実施形態を示している。１６のビームが、予め４つのサブ空間に分類されていることが仮定されている。各スペクトルリソースブロック１−１０に対して、各サブ空間と関連する干渉協調指示シグナリングは、ビットストリングタイプのシグナリングを用いた２レベルの指示である。つまり、「1」は対応する位置におけるサブ空間が次の２０ｍｓでサービングＢＳによって使用されないであろう、ということを示し、「0」はそうではないことを示している。従って、干渉協調指示信号は、スペクトルリソースブロック１−１０に対応する干渉協調指示ビットの連結によって形成される。もし、シグナリング「1」が、空間リソースブロックに対応するサブ空間におけるサービングＢＳの送信電力が次の２０ｍｓで閾値を超えないことを指示するものであると解釈される場合、本実施形態は、スペクトルリソースブロックに基づいた拡張された送信電力制御であると考えられることに注意すべきである。
【００８２】
例７：（シグナリングに干渉協調指示の配列を直接使用した）２次元テーブル。
【００８３】
干渉協調指示は、サービングＢＳによって使用されないであろう、空間領域ビームの情報を示す。図８は、図５に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるビームが高い確率で使用されないであろうということを示し、「中（middle）」は、次の２０ｍｓでサービングＢＳによって、対応する位置におけるビームが中程度の確率で使用されないであろう、ということを示し、「低（low）」は次の２０ｍｓでサービングＢＳによって、対応する位置におけるビームが使用されないことはまずないであろう、ということを示している。従って、干渉協調指示シグナリングは、スペクトルリソースブロック１−１０に対応する干渉協調指示レベルの連結によって形成される。
【００８４】
例８：（シグナリングに干渉協調指示の配列を直接使用した）２次元テーブル。
【００８５】
干渉協調指示は、サービングＢＳによって使用されないであろう、空間領域ビームのサブ空間の情報を示す。図９は、図５に示したような指示形式を使用している本実施形態を示している。１６のビームが、予め４つのサブ空間に分類されていることが仮定されている。各スペクトルリソースブロック１−１０に対して、各空間領域ビームのサブ空間と関連する干渉協調指示信号は、列挙タイプのシグナリングを用いた複数レベルの指示である。つまり、「高（high）」は、次の２０ｍｓでサービングＢＳによって、対応する位置におけるサブ空間が高い確率で使用されないであろうということを示し、「中（middle）」は、次の２０ｍｓでサービングＢＳによって、対応する位置におけるサブ空間が中程度の確率で使用されないであろう、ということを示し、「低（low）」は次の２０ｍｓでサービングＢＳによって、対応する位置におけるサブ空間が使用されないことはまずないであろう、ということを示している。従って、干渉協調指示シグナリングは、スペクトルリソースブロック１−１０に対応する干渉協調指示レベルの連結によって形成される。
【００８６】
例９：（シグナリングに干渉協調指示の配列を直接使用した）２次元テーブル。
【００８７】
干渉協調指示は、サービングＢＳが、隣接するＢＳに使用することを要求しない、空間領域ビームの情報を示す。図６は、図４に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、ビットストリングタイプのシグナリングを用いた２レベルの指示である。つまり、「1」は、サービングＢＳが、隣接するＢＳに次の２０ｍｓで、対応する位置におけるビームを使用することを要求しない、ということを示し、「0」はそうではないことを示している。従って、干渉協調指示シグナリングは、スペクトルリソースブロック１−１０に対応する干渉協調指示ビットの連結によって形成される。
【００８８】
例１０：（シグナリングに干渉協調指示の配列を直接使用した）２次元テーブル。
【００８９】
干渉協調指示は、サービングＢＳが、隣接するＢＳに使用することを要求しない、空間領域ビームのサブ空間の情報を示す。図７は、図４に示したような指示形式を使用している本実施形態を示している。１６のビームが、予め４つのサブ空間に分類されていることが仮定されている。各スペクトルリソースブロック１−１０に対して、各サブ空間と関連する干渉協調指示シグナリングは、ビットストリングタイプのシグナリングを用いた２レベルの指示である。つまり、「1」は、サービングＢＳが、隣接するＢＳに次の２０ｍｓで、対応する位置におけるサブ空間を使用することを要求しない、ということを示し、「0」はそうではないことを示している。従って、干渉協調指示シグナリングは、スペクトルリソースブロック１−１０に対応する干渉協調指示ビットの連結によって形成される。
【００９０】
例１１：（シグナリングに干渉協調指示の配列を直接使用した）２次元テーブル。
【００９１】
干渉協調指示は、サービングＢＳが、隣接するＢＳに使用することを要求しない、空間領域ビームの情報を示す。図８は、図５に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるビームを使用することを、高い程度で、要求しないということを示し、「中（middle）」は、次の２０ｍｓでサービングＢＳが、隣接するＢＳに、対応する位置におけるビームを使用することを、中程度で、要求しないということを示し、「低（low）」は次の２０ｍｓでサービングＢＳが、隣接するＢＳに、対応する位置におけるビームを使用することを、低い程度で、要求しないということを示している。従って、干渉協調指示シグナリングは、スペクトルリソースブロック１−１０に対応する干渉協調指示レベルの連結によって形成される。
【００９２】
例１２：（シグナリングに干渉協調指示の配列を直接使用した）２次元テーブル。
【００９３】
干渉協調指示は、サービングＢＳが、隣接するＢＳに使用することを要求しない、空間領域ビームのサブ空間の情報を示す。図９は、図５に示したような指示形式を使用している本実施形態を示している。空間領域の量子化分割に利用される１６のビームが仮定されている。各スペクトルリソースブロック１−１０に対して、各空間領域ビームのサブ空間と関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるサブ空間を使用することを、高い程度で、要求しないということを示し、「中（middle）」は、次の２０ｍｓでサービングＢＳが、隣接するＢＳに、対応する位置におけるサブ空間を使用することを、中程度で、要求しないということを示し、「低（low）」は次の２０ｍｓでサービングＢＳが、隣接するＢＳに、対応する位置におけるサブ空間を使用することを、低い程度で、要求しないということを示している。従って、干渉協調指示シグナリングは、スペクトルリソースブロック１−１０に対応する干渉協調指示レベルの連結によって形成される。
【００９４】
例１３：（シグナリングに干渉協調指示の配列を直接使用した）２次元テーブル。
【００９５】
干渉協調指示は、サービングＢＳが、隣接するＢＳに使用することを要求する、空間領域ビームの情報を示す。図６は、図４に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、ビットストリングタイプのシグナリングを用いた２レベルの指示である。つまり、「1」は、サービングＢＳが、隣接するＢＳに、次の２０ｍｓで、対応する位置におけるビームを使用することを要求する、ということを示し、「0」はそうではないことを示している。従って、干渉協調指示シグナリングは、スペクトルリソースブロック１−１０に対応する干渉協調指示ビットの連結によって形成される。
【００９６】
例１４：（シグナリングに干渉協調指示の配列を直接使用した）２次元テーブル。
【００９７】
干渉協調指示は、サービングＢＳが、隣接するＢＳに使用することを要求する、空間領域ビームのサブ空間の情報を示す。図７は、図４に示したような指示形式を使用している本実施形態を示している。１６のビームが、予め４つのサブ空間に分類されていることが仮定されている。各スペクトルリソースブロック１−１０に対して、各サブ空間と関連する干渉協調指示シグナリングは、ビットストリングタイプのシグナリングを用いた２レベルの指示である。つまり、「1」は、サービングＢＳが、隣接するＢＳに次の２０ｍｓで、対応する位置におけるサブ空間を使用することを要求する、ということを示し、「0」はそうではないことを示している。従って、干渉協調指示シグナリングは、スペクトルリソースブロック１−１０に対応する干渉協調指示ビットの連結によって形成される。
【００９８】
例１５：（シグナリングに干渉協調指示の配列を直接使用した）２次元テーブル。
【００９９】
干渉協調指示は、サービングＢＳが、隣接するＢＳに使用することを要求する、空間領域ビームの情報を示す。図８は、図５に示したような指示形式を使用している本実施形態を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるビームを使用することを、高い程度で、要求するということを示し、「中（middle）」は、次の２０ｍｓでサービングＢＳが、隣接するＢＳに、対応する位置におけるビームを使用することを、中程度で、要求するということを示し、「低（low）」は次の２０ｍｓでサービングＢＳが、隣接するＢＳに、対応する位置におけるビームを使用することを、低い程度で、要求するということを示している。従って、干渉協調指示シグナリングは、スペクトルリソースブロック１−１０に対応する干渉協調指示レベルの連結によって形成される。
【０１００】
例１６：（シグナリングに干渉協調指示の配列を直接使用した）２次元テーブル。
【０１０１】
干渉協調指示は、サービングＢＳが、隣接するＢＳに使用することを要求する、空間領域ビームのサブ空間の情報を示す。図９は、図５に示したような指示形式を使用している本実施形態を示している。空間領域の量子化分割に利用される１６のビームが仮定されている。各スペクトルリソースブロック１−１０に対して、各空間領域ビームのサブ空間と関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるサブ空間を使用することを、高い程度で、要求するということを示し、「中（middle）」は、次の２０ｍｓでサービングＢＳが、隣接するＢＳに、対応する位置におけるサブ空間を使用することを、中程度で、要求するということを示し、「低（low）」は次の２０ｍｓでサービングＢＳが、隣接するＢＳに、対応する位置におけるサブ空間を使用することを、低い程度で、要求するということを示している。従って、干渉協調指示シグナリングは、スペクトルリソースブロック１−１０に対応する干渉協調指示レベルの連結によって形成される。
【０１０２】
例１７：（シグナリングに空間領域ビームのインデックス番号と連結されたスペクトルリソースブロックのインデックス番号を使用した）１次元リスト。
【０１０３】
最も高いレベルの干渉協調指示を有するスペクトルリソースブロックのインデックス番号は、対応する空間領域ビームのインデックス番号と連結される。そして、最も高いレベルの干渉協調指示を有する、そのようなすべてのシグナリングの組（set）は干渉協調指示として使用され得る。
【０１０４】
干渉協調指示は、サービングＢＳによって使用されるであろう、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるビームが高い確率で使用されるであろうということを示し、「中（middle）」は、次の２０ｍｓでサービングＢＳによって、対応する位置におけるビームが中程度の確率で使用されるであろう、ということを示し、「低（low）」は次の２０ｍｓでサービングＢＳによって、対応する位置におけるビームが使用されることはまずないであろう、ということを示している。本実施形態においては、最も高いレベルの干渉協調指示を有するスペクトルリソースブロックのみが伝送される。伝送されるスペクトルリソースブロックには、以下が含まれる。スペクトルリソースブロック１−ビーム１、スペクトルリソースブロック２−ビーム５、スペクトルリソースブロック２−ビーム１１、スペクトルリソースブロック２−ビーム１５、スペクトルリソースブロック３−ビーム２、スペクトルリソースブロック５−ビーム６、スペクトルリソースブロック５−ビーム１４、スペクトルリソースブロック６−ビーム８、スペクトルリソースブロック６−ビーム１６、スペクトルリソースブロック７−ビーム２、スペクトルリソースブロック７−ビーム３、スペクトルリソースブロック７−ビーム４、スペクトルリソースブロック７−ビーム１０、スペクトルリソースブロック７−ビーム１６、スペクトルリソースブロック８−ビーム５、スペクトルリソースブロック１０−ビーム５、スペクトルリソースブロック１０−ビーム１３。この方法では、結果として得られる干渉協調指示は下記のようになる。
1-1||2-5||2-11||2-15||3-2||5-6||5-14||6-8||6-16||7-2||7-3||7-4||7-10||7-16||8-5||10-5||10-13
シンボル「‐」、及び「||」は、それぞれ単純な連結をただ意味しており、各々の表現は、干渉協調指示の実際の送信の中には存在しない。
【０１０５】
例１８：（シグナリングに空間領域ビームのサブ空間のインデックス番号と連結されたスペクトルリソースブロックのインデックス番号を使用した）１次元リスト。
【０１０６】
最も高いレベルの干渉協調指示を有するスペクトルリソースブロックのインデックス番号は、対応する空間領域ビームのサブ空間のインデックス番号と連結される。そして、最も高いレベルの干渉協調指示を有する、そのようなすべてのシグナリングの組（set）は干渉協調指示として使用され得る。
【０１０７】
干渉協調指示は、サービングＢＳによって使用されるであろう、空間領域ビームのサブ空間の情報を示す。図９は、図５に示したような指示形式を使用している干渉協調指示を示している。１６のビームが、予め４つのサブ空間に分類されていることが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるサブ空間が高い確率で使用されるであろうということを示し、「中（middle）」は、次の２０ｍｓでサービングＢＳによって、対応する位置におけるサブ空間が中程度の確率で使用されるであろう、ということを示し、「低（low）」は次の２０ｍｓでサービングＢＳによって、対応する位置におけるサブ空間が使用されることはまずないであろう、ということを示している。本実施形態においては、最も高いレベルの干渉協調指示を有するスペクトルリソースブロックのみが伝送される。伝送されるスペクトルリソースブロックには、以下が含まれる。スペクトルリソースブロック１−サブ空間１、スペクトルリソースブロック３−サブ空間２、スペクトルリソースブロック７−サブ空間２、スペクトルリソースブロック７−サブ空間３、スペクトルリソースブロック７−サブ空間４。この方法では、結果として得られる干渉協調指示は下記のようになる。
1-1||3-2||7-2||7-3||7-4
シンボル「‐」、及び「||」は、それぞれ単純な連結をただ意味しており、各々の表現は、干渉協調指示の実際の送信の中には存在しない。
【０１０８】
例１９：（シグナリングに空間領域ビームのインデックス番号と連結されたスペクトルリソースブロックのインデックス番号を使用した）１次元リスト。
【０１０９】
最も高いレベルの干渉協調指示を有するスペクトルリソースブロックのインデックス番号は、対応する空間領域ビームのインデックス番号と連結される。そして、最も高いレベルの干渉協調指示を有する、そのようなすべてのシグナリングの組（set）は干渉協調指示として使用され得る。
【０１１０】
干渉協調指示は、サービングＢＳによって使用されないであろう、空間領域ビームの情報を示す。図８では、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるビームが高い確率で使用されないであろうということを示し、「中（middle）」は、次の２０ｍｓでサービングＢＳによって、対応する位置におけるビームが中程度の確率で使用されないであろう、ということを示し、「低（low）」は次の２０ｍｓでサービングＢＳによって、対応する位置におけるビームが使用されないことはまずないであろう、ということを示している。本実施形態においては、最も高いレベルの干渉協調指示を有するスペクトルリソースブロックのみが伝送される。伝送されるスペクトルリソースブロックには、以下が含まれる。スペクトルリソースブロック１−ビーム１、スペクトルリソースブロック２−ビーム５、スペクトルリソースブロック２−ビーム１１、スペクトルリソースブロック２−ビーム１５、スペクトルリソースブロック３−ビーム２、スペクトルリソースブロック５−ビーム６、スペクトルリソースブロック５−ビーム１４、スペクトルリソースブロック６−ビーム８、スペクトルリソースブロック６−ビーム１６、スペクトルリソースブロック７−ビーム２、スペクトルリソースブロック７−ビーム３、スペクトルリソースブロック７−ビーム４、スペクトルリソースブロック７−ビーム１０、スペクトルリソースブロック７−ビーム１６、スペクトルリソースブロック８−ビーム５、スペクトルリソースブロック１０−ビーム５、スペクトルリソースブロック１０−ビーム１３。この方法では、結果として得られる干渉協調指示は下記のようになる。
1-1||2-5||2-11||2-15||3-2||5-6||5-14||6-8||6-16||7-2||7-3||7-4||7-10||7-16||8-5||10-5||10-13
シンボル「‐」、及び「||」は、それぞれ単純な連結をただ意味しており、各々の表現は、干渉協調指示の実際の送信の中には存在しない。
【０１１１】
例２０：（シグナリングに空間領域ビームのサブ空間のインデックス番号と連結されたスペクトルリソースブロックのインデックス番号を使用した）１次元リスト。
【０１１２】
最も高いレベルの干渉協調指示を有するスペクトルリソースブロックのインデックス番号は、対応する空間領域ビームのサブ空間のインデックス番号と連結される。そして、最も高いレベルの干渉協調指示を有する、そのようなすべてのシグナリングの組（set）は干渉協調指示として使用され得る。
【０１１３】
干渉協調指示は、サービングＢＳによって使用されないであろう、空間領域ビームのサブ空間の情報を示す。図９は、図５に示したような指示形式を使用している干渉協調指示を示している。１６のビームが、予め４つのサブ空間に分類されていることが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるサブ空間が高い確率で使用されないであろうということを示し、「中（middle）」は、次の２０ｍｓでサービングＢＳによって、対応する位置におけるサブ空間が中程度の確率で使用されないであろう、ということを示し、「低（low）」は次の２０ｍｓでサービングＢＳによって、対応する位置におけるサブ空間が使用されないことはまずないであろう、ということを示している。本実施形態においては、最も高いレベルの干渉協調指示を有するスペクトルリソースブロックのみが伝送される。伝送されるスペクトルリソースブロックには、以下が含まれる。スペクトルリソースブロック１−サブ空間１、スペクトルリソースブロック３−サブ空間２、スペクトルリソースブロック７−サブ空間２、スペクトルリソースブロック７−サブ空間３、スペクトルリソースブロック７−サブ空間４。この方法では、結果として得られる干渉協調指示は下記のようになる。
1-1||3-2||7-2||7-3||7-4
シンボル「‐」、及び「||」は、それぞれ単純な連結をただ意味しており、各々の表現は、干渉協調指示の実際の送信の中には存在しない。
【０１１４】
例２１：（シグナリングに空間領域ビームのインデックス番号と連結されたスペクトルリソースブロックのインデックス番号を使用した）１次元リスト。
【０１１５】
最も高いレベルの干渉協調指示を有するスペクトルリソースブロックのインデックス番号は、対応する空間領域ビームのインデックス番号と連結される。そして、最も高いレベルの干渉協調指示を有する、そのようなすべてのシグナリングの組（set）は干渉協調指示として使用され得る。
【０１１６】
干渉協調指示は、サービングＢＳが、隣接するＢＳに使用することを要求しない、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるビームを使用することを、高い程度で、要求しないということを示し、「中（middle）」は、次の２０ｍｓでサービングＢＳが、隣接するＢＳに、対応する位置におけるビームを使用することを、中程度で、要求しないということを示し、「低（low）」は次の２０ｍｓでサービングＢＳが、隣接するＢＳに、対応する位置におけるビームを使用することを、低い程度で、要求しないということを示している。本実施形態においては、最も高いレベルの干渉協調指示を有するスペクトルリソースブロックのみが伝送される。伝送されるスペクトルリソースブロックには、以下が含まれる。スペクトルリソースブロック１−ビーム１、スペクトルリソースブロック２−ビーム５、スペクトルリソースブロック２−ビーム１１、スペクトルリソースブロック２−ビーム１５、スペクトルリソースブロック３−ビーム２、スペクトルリソースブロック５−ビーム６、スペクトルリソースブロック５−ビーム１４、スペクトルリソースブロック６−ビーム８、スペクトルリソースブロック６−ビーム１６、スペクトルリソースブロック７−ビーム２、スペクトルリソースブロック７−ビーム３、スペクトルリソースブロック７−ビーム４、スペクトルリソースブロック７−ビーム１０、スペクトルリソースブロック７−ビーム１６、スペクトルリソースブロック８−ビーム５、スペクトルリソースブロック１０−ビーム５、スペクトルリソースブロック１０−ビーム１３。この方法では、結果として得られる干渉協調指示は下記のようになる。
1-1||2-5||2-11||2-15||3-2||5-6||5-14||6-8||6-16||7-2||7-3||7-4||7-10||7-16||8-5||10-5||10-13
シンボル「‐」、及び「||」は、それぞれ単純な連結をただ意味しており、各々の表現は、干渉協調指示の実際の送信の中には存在しない。
【０１１７】
例２２：（シグナリングに空間領域ビームのサブ空間のインデックス番号と連結されたスペクトルリソースブロックのインデックス番号を使用した）１次元リスト。
【０１１８】
最も高いレベルの干渉協調指示を有するスペクトルリソースブロックのインデックス番号は、対応する空間領域ビームのサブ空間のインデックス番号と連結される。そして、最も高いレベルの干渉協調指示を有する、そのようなすべてのシグナリングの組（set）は干渉協調指示として使用され得る。
【０１１９】
干渉協調指示は、サービングＢＳが、隣接するＢＳに使用することを要求しない、空間領域ビームのサブ空間の情報を示す。図９は、図５に示したような指示形式を使用している干渉協調指示を示している。１６のビームが、予め４つのサブ空間に分類されていることが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるサブ空間を使用することを、高い程度で、要求しないということを示し、「中（middle）」は、次の２０ｍｓでサービングＢＳが、隣接するＢＳに、対応する位置におけるサブ空間を使用することを、中程度で、要求しないということを示し、「低（low）」は次の２０ｍｓでサービングＢＳが、隣接するＢＳに、対応する位置におけるサブ空間を使用することを、低い程度で、要求しないということを示している。本実施形態においては、最も高いレベルの干渉協調指示を有するスペクトルリソースブロックのみが伝送される。伝送されるスペクトルリソースブロックには、以下が含まれる。スペクトルリソースブロック１−サブ空間１、スペクトルリソースブロック３−サブ空間２、スペクトルリソースブロック７−サブ空間２、スペクトルリソースブロック７−サブ空間３、スペクトルリソースブロック７−サブ空間４。この方法では、結果として得られる干渉協調指示は下記のようになる。
1-1||3-2||7-2||7-3||7-4
シンボル「‐」、及び「||」は、それぞれ単純な連結をただ意味しており、各々の表現は、干渉協調指示の実際の送信の中には存在しない。
【０１２０】
例２３：（シグナリングに空間領域ビームのインデックス番号と連結されたスペクトルリソースブロックのインデックス番号を使用した）１次元リスト。
【０１２１】
最も高いレベルの干渉協調指示を有するスペクトルリソースブロックのインデックス番号は、対応する空間領域ビームのインデックス番号と連結される。そして、最も高いレベルの干渉協調指示を有する、そのようなすべてのシグナリングの組（set）は干渉協調指示として使用され得る。
【０１２２】
干渉協調指示は、サービングＢＳが、隣接するＢＳに使用することを要求する、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるビームを使用することを、高い程度で、要求するということを示し、「中（middle）」は、次の２０ｍｓでサービングＢＳが、隣接するＢＳに、対応する位置におけるビームを使用することを、中程度で、要求するということを示し、「低（low）」は次の２０ｍｓでサービングＢＳが、隣接するＢＳに、対応する位置におけるビームを使用することを、低い程度で、要求するということを示している。本実施形態においては、最も高いレベルの干渉協調指示を有するスペクトルリソースブロックのみが伝送される。伝送されるスペクトルリソースブロックには、以下が含まれる。スペクトルリソースブロック１−ビーム１、スペクトルリソースブロック２−ビーム５、スペクトルリソースブロック２−ビーム１１、スペクトルリソースブロック２−ビーム１５、スペクトルリソースブロック３−ビーム２、スペクトルリソースブロック５−ビーム６、スペクトルリソースブロック５−ビーム１４、スペクトルリソースブロック６−ビーム８、スペクトルリソースブロック６−ビーム１６、スペクトルリソースブロック７−ビーム２、スペクトルリソースブロック７−ビーム３、スペクトルリソースブロック７−ビーム４、スペクトルリソースブロック７−ビーム１０、スペクトルリソースブロック７−ビーム１６、スペクトルリソースブロック８−ビーム５、スペクトルリソースブロック１０−ビーム５、スペクトルリソースブロック１０−ビーム１３。この方法では、結果として得られる干渉協調指示は下記のようになる。
1-1||2-5||2-11||2-15||3-2||5-6||5-14||6-8||6-16||7-2||7-3||7-4||7-10||7-16||8-5||10-5||10-13
シンボル「‐」、及び「||」は、それぞれ単純な連結をただ意味しており、各々の表現は、干渉協調指示の実際の送信の中には存在しない。
【０１２３】
例２４：（シグナリングに空間領域ビームのサブ空間のインデックス番号と連結されたスペクトルリソースブロックのインデックス番号を使用した）１次元リスト。
【０１２４】
最も高いレベルの干渉協調指示を有するスペクトルリソースブロックのインデックス番号は、対応する空間領域ビームのサブ空間のインデックス番号と連結される。そして、最も高いレベルの干渉協調指示を有する、そのようなすべてのシグナリングの組（set）は干渉協調指示として使用され得る。
【０１２５】
干渉協調指示は、サービングＢＳが、隣接するＢＳに使用することを要求する、空間領域ビームのサブ空間の情報を示す。図９は、図５に示したような指示形式を使用している干渉協調指示を示している。１６のビームが、４つのサブ空間に分類されていることが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるサブ空間を使用することを、高い程度で、要求するということを示し、「中（middle）」は、次の２０ｍｓでサービングＢＳが、隣接するＢＳに、対応する位置におけるサブ空間を使用することを、中程度で、要求するということを示し、「低（low）」は次の２０ｍｓでサービングＢＳが、隣接するＢＳに、対応する位置におけるサブ空間を使用することを、低い程度で、要求するということを示している。本実施形態においては、最も高いレベルの干渉協調指示を有するスペクトルリソースブロックのみが伝送される。伝送されるスペクトルリソースブロックには、以下が含まれる。スペクトルリソースブロック１−サブ空間１、スペクトルリソースブロック３−サブ空間２、スペクトルリソースブロック７−サブ空間２、スペクトルリソースブロック７−サブ空間３、スペクトルリソースブロック７−サブ空間４。この方法では、結果として得られる干渉協調指示は下記のようになる。
1-1||3-2||7-2||7-3||7-4
シンボル「‐」、及び「||」は、それぞれ単純な連結をただ意味しており、各々の表現は、干渉協調指示の実際の送信の中には存在しない。
【０１２６】
例２５：（シグナリングに多数の連結された空間領域ビームのインデックス番号の配列を使用した）１次元リスト。
【０１２７】
それぞれのスペクトルリソースブロックに対して、比較的高いレベルを有する多数の干渉協調指示に対応する、空間領域ビームのインデックス番号が互いに連結される。そして、すべてのスペクトルリソースブロックのそのようなシグナリングの組（set）は干渉協調指示として使用され得る。
【０１２８】
干渉協調指示は、サービングＢＳによって使用されるであろう、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるビームが高い確率で使用されるであろうということを示し、「中（middle）」は、次の２０ｍｓでサービングＢＳによって、対応する位置におけるビームが中程度の確率で使用されるであろう、ということを示し、「低（low）」は次の２０ｍｓでサービングＢＳによって、対応する位置におけるビームが使用されることはまずないであろう、ということを示している。本実施形態では、それぞれのスペクトルリソースブロックに対して、比較的高いレベルの干渉協調指示に対応する、４つの空間領域ビームのインデックス番号が連結のために選択される。そのインデックス番号には、以下が含まれる。スペクトルリソースブロック１に対して、ビーム１（高）−ビーム６（中）−ビーム１０（中）−ビーム１５（中）；スペクトルリソースブロック２に対して、ビーム５（高）−ビーム１１（高）−ビーム１２（中）−ビーム１５（高）；スペクトルリソースブロック３に対して、ビーム２（高）−ビーム６（中）−ビーム１０（中）−ビーム１４（中）；スペクトルリソースブロック４に対して、ビーム５（中）−ビーム８（低）−ビーム１３（低）−ビーム１６（中）；スペクトルリソースブロック５に対して、ビーム２（中）−ビーム６（高）−ビーム１２（中）−ビーム１４（高）；スペクトルリソースブロック６に対して、ビーム１（中）−ビーム５（中）−ビーム８（高）−ビーム１６（高）；スペクトルリソースブロック７に対して、ビーム２（高）−ビーム３（高）−ビーム４（高）−ビーム１０（高）；スペクトルリソースブロック８に対して、ビーム１（中）−ビーム５（高）−ビーム９（中）−ビーム１３（中）；スペクトルリソースブロック９に対して、ビーム４（中）−ビーム６（中）−ビーム８（中）−ビーム１２（中）；スペクトルリソースブロック１０に対して、ビーム５（高）−ビーム１０（中）−ビーム１３（高）−ビーム１５（中）。この方法では、結果として得られる干渉協調指示は下記のようになる。
1-6-11-15||5-11-12-15||2-6-10-14||5-8-13-16||2-6-12-14||1-5-8-16||2-3-4-10||1-5-9-13||4-6-8-12||5-10-13-15
シンボル「‐」、及び「||」は、それぞれ単純な連結をただ意味しており、各々の表現は、干渉協調指示の実際の送信の中には存在しない。
【０１２９】
例２６：（シグナリングに多数の連結された空間領域ビームのサブ空間のインデックス番号の配列を使用した）１次元リスト。
【０１３０】
それぞれのスペクトルリソースブロックに対して、比較的高いレベルを有する多数の干渉協調指示に対応する、空間領域ビームのサブ空間のインデックス番号が互いに連結される。そして、すべてのスペクトルリソースブロックのそのようなシグナリングの組（set）は干渉協調指示として使用され得る。
【０１３１】
干渉協調指示は、サービングＢＳによって使用されるであろう、空間領域ビームの情報を示す。図９は、図５に示したような指示形式を使用している干渉協調指示を示している。空間領域の量子化分割に利用される１６のビームが仮定されている。各スペクトルリソースブロック１−１０に対して、各空間領域ビームのサブ空間と関連する干渉協調指示シグナリングは、列挙タイプのシグナリングを用いた複数レベルの指示である。つまり、「高（high）」は、次の２０ｍｓでサービングＢＳによって、対応する位置におけるサブ空間が高い確率で使用されるであろうということを示し、「中（middle）」は、次の２０ｍｓでサービングＢＳによって、対応する位置におけるサブ空間が中程度の確率で使用されるであろう、ということを示し、「低（low）」は次の２０ｍｓでサービングＢＳによって、対応する位置におけるサブ空間が使用されることはまずないであろう、ということを示している。本実施形態では、それぞれのスペクトルリソースブロックに対して、比較的高いレベルの干渉協調指示に対応する、ある空間領域ビームのサブ空間のインデックス番号が連結のために選択される。そのインデックス番号には、以下が含まれる。スペクトルリソースブロック１に対して、サブ空間１（高）；スペクトルリソースブロック２に対して、サブ空間３（中）；スペクトルリソースブロック３に対して、サブ空間２（高）；スペクトルリソースブロック４に対して、サブ空間３（低）；スペクトルリソースブロック５に対して、サブ空間２（中）；スペクトルリソースブロック６に対して、サブ空間１（中）；スペクトルリソースブロック７に対して、サブ空間２（高）；スペクトルリソースブロック８に対して、サブ空間１（中）；スペクトルリソースブロック９に対して、サブ空間４（中）；スペクトルリソースブロック１０に対して、サブ空間１（低）。この方法では、結果として得られる干渉協調指示は下記のようになる。
1||3||2||3||2||1||2||1||4||1
シンボル「||」は、単純な連結をただ意味しており、各々の表現は、干渉協調指示の実際の送信の中には存在しない。
【０１３２】
例２７：（シグナリングに多数の連結された空間領域ビームのインデックス番号の配列を使用した）１次元リスト。
【０１３３】
それぞれのスペクトルリソースブロックに対して、比較的高いレベルを有する多数の干渉協調指示に対応する、空間領域ビームのインデックス番号が互いに連結される。そして、すべてのスペクトルリソースブロックのそのようなシグナリングの組（set）は干渉協調指示として使用され得る。
【０１３４】
干渉協調指示は、サービングＢＳによって使用されないであろう、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳによって、対応する位置におけるビームが高い確率で使用されないであろうということを示し、「中（middle）」は、次の２０ｍｓでサービングＢＳによって、対応する位置におけるビームが中程度の確率で使用されないであろう、ということを示し、「低（low）」は次の２０ｍｓでサービングＢＳによって、対応する位置におけるビームが使用されないことはまずないであろう、ということを示している。本実施形態では、それぞれのスペクトルリソースブロックに対して、比較的高いレベルの干渉協調指示に対応する、４つの空間領域ビームのインデックス番号が連結のために選択される。そのインデックス番号には、以下が含まれる。スペクトルリソースブロック１に対して、ビーム１（高）−ビーム６（中）−ビーム１０（中）−ビーム１５（中）；スペクトルリソースブロック２に対して、ビーム５（高）−ビーム１１（高）−ビーム１２（中）−ビーム１５（高）；スペクトルリソースブロック３に対して、ビーム２（高）−ビーム６（中）−ビーム１０（中）−ビーム１４（中）；スペクトルリソースブロック４に対して、ビーム５（中）−ビーム８（低）−ビーム１３（低）−ビーム１６（中）；スペクトルリソースブロック５に対して、ビーム２（中）−ビーム６（高）−ビーム１２（中）−ビーム１４（高）；スペクトルリソースブロック６に対して、ビーム１（中）−ビーム５（中）−ビーム８（高）−ビーム１６（高）；スペクトルリソースブロック７に対して、ビーム２（高）−ビーム３（高）−ビーム４（高）−ビーム１０（高）；スペクトルリソースブロック８に対して、ビーム１（中）−ビーム５（高）−ビーム９（中）−ビーム１３（中）；スペクトルリソースブロック９に対して、ビーム４（中）−ビーム６（中）−ビーム８（中）−ビーム１２（中）；スペクトルリソースブロック１０に対して、ビーム５（高）−ビーム１０（中）−ビーム１３（高）−ビーム１５（中）。この方法では、結果として得られる干渉協調指示は下記のようになる。
1-6-11-15||5-11-12-15||2-6-10-14||5-8-13-16||2-6-12-14||1-5-8-16||2-3-4-10||1-5-9-13||4-6-8-12||5-10-13-15
シンボル「‐」、及び「||」は、それぞれ単純な連結をただ意味しており、各々の表現は、干渉協調指示の実際の送信の中には存在しない。
【０１３５】
例２８：（シグナリングに多数の連結された空間領域ビームのサブ空間のインデックス番号の配列を使用した）１次元リスト。
【０１３６】
それぞれのスペクトルリソースブロックに対して、比較的高いレベルを有する多数の干渉協調指示に対応する、空間領域ビームのサブ空間のインデックス番号が互いに連結される。そして、すべてのスペクトルリソースブロックのそのようなシグナリングの組（set）は干渉協調指示として使用され得る。
【０１３７】
干渉協調指示は、サービングＢＳによって使用されないであろう、空間領域ビームの情報を示す。図９は、図５に示したような指示形式を使用している干渉協調指示を示している。空間領域の量子化分割に利用される１６のビームが仮定されている。各スペクトルリソースブロック１−１０に対して、各空間領域ビームのサブ空間と関連する干渉協調指示信号は、列挙タイプのシグナリングを用いた複数レベルの指示である。つまり、「高（high）」は、次の２０ｍｓでサービングＢＳによって、対応する位置におけるサブ空間が高い確率で使用されないであろうということを示し、「中（middle）」は、次の２０ｍｓでサービングＢＳによって、対応する位置におけるサブ空間が中程度の確率で使用されないであろう、ということを示し、「低（low）」は次の２０ｍｓでサービングＢＳによって、対応する位置におけるサブ空間が使用されないことはまずないであろう、ということを示している。本実施形態では、それぞれのスペクトルリソースブロックに対して、比較的高いレベルの干渉協調指示に対応する、ある空間領域ビームのサブ空間のインデックス番号が連結のために選択さる。そのインデックス番号には、以下が含まれる。スペクトルリソースブロック１に対して、サブ空間１（高）；スペクトルリソースブロック２に対して、サブ空間３（中）；スペクトルリソースブロック３に対して、サブ空間２（高）；スペクトルリソースブロック４に対して、サブ空間３（低）；スペクトルリソースブロック５に対して、サブ空間２（中）；スペクトルリソースブロック６に対して、サブ空間１（中）；スペクトルリソースブロック７に対して、サブ空間２（高）；スペクトルリソースブロック８に対して、サブ空間１（中）；スペクトルリソースブロック９に対して、サブ空間４（中）；スペクトルリソースブロック１０に対して、サブ空間１（低）。この方法では、結果として得られる干渉協調指示は下記のようになる。
1||3||2||3||2||1||2||1||4||1
シンボル「||」は、単純な連結をただ意味しており、各々の表現は、干渉協調指示の実際の送信の中には存在しない。
【０１３８】
例２９：（シグナリングに多数の連結された空間領域ビームのインデックス番号の配列を使用した）１次元リスト。
【０１３９】
それぞれのスペクトルリソースブロックに対して、比較的高いレベルを有する多数の干渉協調指示に対応する、空間領域ビームのインデックス番号が互いに連結される。そして、すべてのスペクトルリソースブロックのそのようなシグナリングの組（set）は干渉協調指示として使用され得る。
【０１４０】
干渉協調指示は、サービングＢＳが、隣接するＢＳに使用することを要求しない、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるビームを使用することを、高い程度で、要求しないということを示し、「中（middle）」は、次の２０ｍｓでサービングＢＳが、隣接するＢＳに、対応する位置におけるビームを使用することを、中程度で、要求しないということを示し、「低（low）」は次の２０ｍｓでサービングＢＳが、隣接するＢＳに、対応する位置におけるビームを使用することを、低い程度で、要求しないということを示している。本実施形態では、それぞれのスペクトルリソースブロックに対して、比較的高いレベルの干渉協調指示に対応する、４つの空間領域ビームのインデックス番号が連結のために選択される。そのインデックス番号には、以下が含まれる。スペクトルリソースブロック１に対して、ビーム１（高）−ビーム６（中）−ビーム１０（中）−ビーム１５（中）；スペクトルリソースブロック２に対して、ビーム５（高）−ビーム１１（高）−ビーム１２（中）−ビーム１５（高）；スペクトルリソースブロック３に対して、ビーム２（高）−ビーム６（中）−ビーム１０（中）−ビーム１４（中）；スペクトルリソースブロック４に対して、ビーム５（中）−ビーム８（低）−ビーム１３（低）−ビーム１６（中）；スペクトルリソースブロック５に対して、ビーム２（中）−ビーム６（高）−ビーム１２（中）−ビーム１４（高）；スペクトルリソースブロック６に対して、ビーム１（中）−ビーム５（中）−ビーム８（高）−ビーム１６（高）；スペクトルリソースブロック７に対して、ビーム２（高）−ビーム３（高）−ビーム４（高）−ビーム１０（高）；スペクトルリソースブロック８に対して、ビーム１（中）−ビーム５（高）−ビーム９（中）−ビーム１３（中）；スペクトルリソースブロック９に対して、ビーム４（中）−ビーム６（中）−ビーム８（中）−ビーム１２（中）；スペクトルリソースブロック１０に対して、ビーム５（高）−ビーム１０（中）−ビーム１３（高）−ビーム１５（中）。この方法では、結果として得られる干渉協調指示は下記のようになる。
1-6-11-15||5-11-12-15||2-6-10-14||5-8-13-16||2-6-12-14||1-5-8-16||2-3-4-10||1-5-9-13||4-6-8-12||5-10-13-15
シンボル「‐」、及び「||」は、それぞれ単純な連結をただ意味しており、各々の表現は、干渉協調指示の実際の送信の中には存在しない。
【０１４１】
例３０：（シグナリングに多数の連結された空間領域ビームのサブ空間のインデックス番号の配列を使用した）１次元リスト。
【０１４２】
それぞれのスペクトルリソースブロックに対して、比較的高いレベルを有する多数の干渉協調指示に対応する、空間領域ビームのサブ空間のインデックス番号が互いに連結される。そして、すべてのスペクトルリソースブロックのそのようなシグナリングの組（set）は干渉協調指示として使用され得る。
【０１４３】
干渉協調指示は、サービングＢＳが、隣接するＢＳに使用することを要求しない、空間領域ビームの情報を示す。図９は、図５に示したような指示形式を使用している干渉協調指示を示している。空間領域の量子化分割に利用される１６のビームが仮定されている。各スペクトルリソースブロック１−１０に対して、各空間領域ビームのサブ空間と関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるサブ空間を使用することを、高い程度で、要求しないということを示し、「中（middle）」は、次の２０ｍｓでサービングＢＳが、隣接するＢＳに、対応する位置におけるサブ空間を使用することを、中程度で、要求しないということを示し、「低（low）」は次の２０ｍｓでサービングＢＳが、隣接するＢＳに、対応する位置におけるサブ空間を使用することを、低い程度で、要求しないということを示している。本実施形態では、それぞれのスペクトルリソースブロックに対して、比較的高いレベルの干渉協調指示に対応する、ある空間領域ビームのサブ空間のインデックス番号が連結のために選択される。そのインデックス番号には、以下が含まれる。スペクトルリソースブロック１に対して、サブ空間１（高）；スペクトルリソースブロック２に対して、サブ空間３（中）；スペクトルリソースブロック３に対して、サブ空間２（高）；スペクトルリソースブロック４に対して、サブ空間３（低）；スペクトルリソースブロック５に対して、サブ空間２（中）；スペクトルリソースブロック６に対して、サブ空間１（中）；スペクトルリソースブロック７に対して、サブ空間２（高）；スペクトルリソースブロック８に対して、サブ空間１（中）；スペクトルリソースブロック９に対して、サブ空間４（中）；スペクトルリソースブロック１０に対して、サブ空間１（低）。この方法では、結果として得られる干渉協調指示は下記のようになる。
1||3||2||3||2||1||2||1||4||1
シンボル「||」は、単純な連結をただ意味しており、各々の表現は、干渉協調指示の実際の送信の中には存在しない。
【０１４４】
例３１：（シグナリングに多数の連結された空間領域ビームのインデックス番号の配列を使用した）１次元リスト。
【０１４５】
それぞれのスペクトルリソースブロックに対して、比較的高いレベルを有する多数の干渉協調指示に対応する、空間領域ビームのインデックス番号が互いに連結される。そして、すべてのスペクトルリソースブロックのそのようなシグナリングの組（set）は干渉協調指示として使用され得る。
【０１４６】
干渉協調指示は、サービングＢＳが、隣接するＢＳに使用することを要求する、空間領域ビームの情報を示す。図８は、図５に示したような指示形式を使用している干渉協調指示を示している。空間領域の量子化分割に利用される１６のビームが仮定されている。各スペクトルリソースブロック１−１０に対して、各空間領域ビームと関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるビームを使用することを、高い程度で、要求するということを示し、「中（middle）」は、次の２０ｍｓでサービングＢＳが、隣接するＢＳに、対応する位置におけるビームを使用することを、中程度で、要求するということを示し、「低（low）」は次の２０ｍｓでサービングＢＳが、隣接するＢＳに、対応する位置におけるビームを使用することを、低い程度で、要求するということを示している。本実施形態では、それぞれのスペクトルリソースブロックに対して、比較的高いレベルの干渉協調指示に対応する、４つの空間領域ビームのインデックス番号が連結のために選択される。そのインデックス番号には、以下が含まれる。スペクトルリソースブロック１に対して、ビーム１（高）−ビーム６（中）−ビーム１０（中）−ビーム１５（中）；スペクトルリソースブロック２に対して、ビーム５（高）−ビーム１１（高）−ビーム１２（中）−ビーム１５（高）；スペクトルリソースブロック３に対して、ビーム２（高）−ビーム６（中）−ビーム１０（中）−ビーム１４（中）；スペクトルリソースブロック４に対して、ビーム５（中）−ビーム８（低）−ビーム１３（低）−ビーム１６（中）；スペクトルリソースブロック５に対して、ビーム２（中）−ビーム６（高）−ビーム１２（中）−ビーム１４（高）；スペクトルリソースブロック６に対して、ビーム１（中）−ビーム５（中）−ビーム８（高）−ビーム１６（高）；スペクトルリソースブロック７に対して、ビーム２（高）−ビーム３（高）−ビーム４（高）−ビーム１０（高）；スペクトルリソースブロック８に対して、ビーム１（中）−ビーム５（高）−ビーム９（中）−ビーム１３（中）；スペクトルリソースブロック９に対して、ビーム４（中）−ビーム６（中）−ビーム８（中）−ビーム１２（中）；スペクトルリソースブロック１０に対して、ビーム５（高）−ビーム１０（中）−ビーム１３（高）−ビーム１５（中）。この方法では、結果として得られる干渉協調指示は下記のようになる。
1-6-11-15||5-11-12-15||2-6-10-14||5-8-13-16||2-6-12-14||1-5-8-16||2-3-4-10||1-5-9-13||4-6-8-12||5-10-13-15
シンボル「‐」、及び「||」は、それぞれ単純な連結をただ意味しており、各々の表現は、干渉協調指示の実際の送信の中には存在しない。
【０１４７】
例３２：（シグナリングに多数の連結された空間領域ビームのサブ空間のインデックス番号の配列を使用した）１次元リスト。
【０１４８】
それぞれのスペクトルリソースブロックに対して、比較的高いレベルを有する多数の干渉協調指示に対応する、空間領域ビームのサブ空間のインデックス番号が互いに連結される。そして、すべてのスペクトルリソースブロックのそのようなシグナリングの組（set）は干渉協調指示として使用され得る。
【０１４９】
干渉協調指示は、サービングＢＳが、隣接するＢＳに使用することを要求する、空間領域ビームの情報を示す。図９は、図５に示したような指示形式を使用している干渉協調指示を示している。空間領域の量子化分割に利用される１６のビームが仮定されている。各スペクトルリソースブロック１−１０に対して、各空間領域ビームのサブ空間と関連する干渉協調指示シグナリングは、列挙タイプのシグナリングを用いた複数レベルの指示である。つまり、「高（high）」は、次の２０ｍｓでサービングＢＳが、隣接するＢＳに、対応する位置におけるサブ空間を使用することを、高い程度で、要求するということを示し、「中（middle）」は、次の２０ｍｓでサービングＢＳが、隣接するＢＳに、対応する位置におけるサブ空間を使用することを、中程度で、要求するということを示し、「低（low）」は次の２０ｍｓでサービングＢＳが、隣接するＢＳに、対応する位置におけるサブ空間を使用することを、低い程度で、要求するということを示している。本実施形態では、それぞれのスペクトルリソースブロックに対して、比較的高いレベルの干渉協調指示に対応する、１つの空間領域ビームのサブ空間のインデックス番号が連結のために選択される。そのインデックス番号には、以下が含まれる。スペクトルリソースブロック１に対して、サブ空間１（高）；スペクトルリソースブロック２に対して、サブ空間３（中）；スペクトルリソースブロック３に対して、サブ空間２（高）；スペクトルリソースブロック４に対して、サブ空間３（低）；スペクトルリソースブロック５に対して、サブ空間２（中）；スペクトルリソースブロック６に対して、サブ空間１（中）；スペクトルリソースブロック７に対して、サブ空間２（高）；スペクトルリソースブロック８に対して、サブ空間１（中）；スペクトルリソースブロック９に対して、サブ空間４（中）；スペクトルリソースブロック１０に対して、サブ空間１（低）。このようにして、得られる干渉協調指示は下記のようになる。
1||3||2||3||2||1||2||1||4||1
シンボル「||」は、単純な連結をただ意味しており、各々の表現は、干渉協調指示の実際の送信の中には存在しない。
【０１５０】
例３３：マルチユーザMIMO通信負荷の追加情報は、ビットストリングタイプのシグナリングを用いた２レベルの指示を配置されたスペクトルリソースブロックという形で、干渉協調指示に追加される。図１０は、本実施形態の概要図である。各スペクトルリソースブロック１−１０に対して、マルチユーザMIMO通信負荷は、ビットストリングタイプのシグナリングを用いた２レベルの指示である。すなわち、「１」は、次の２０ｍｓで、サービングＢＳが高いマルチユーザMIMO通信負荷を持つことを示し、「０」は、そうではないことを示す。この方法では、マルチユーザMIMO通信負荷のためのシグナリングは、上記スペクトルリソースブロック１−１０に対応する負荷ビットレベルの連結によって形成される。
【０１５１】
例３４：マルチユーザMIMO通信負荷の追加情報は、列挙タイプのシグナリングを用いた複数レベルの指示を配置されたスペクトルリソースブロックという形で干渉協調指示に追加される。図１１は、本実施形態の概要図である。各スペクトルリソースブロック１−１０に対して、マルチユーザMIMO通信負荷は、列挙タイプのシグナリングを用いた複数レベルの指示である。すなわち、「高（high）」は、次の２０ｍｓで、サービングＢＳが高いマルチユーザMIMO通信負荷を持つことを示し、「中（middle）」は、次の２０ｍｓで、サービングＢＳが適度なマルチユーザMIMO通信負荷を持つことを示し、「低（low）」は、次の２０ｍｓで、サービングＢＳが低いマルチユーザMIMO通信負荷を持つことを示す。この方法では、マルチユーザMIMO通信負荷のためのシグナリングは、上記スペクトルリソースブロック１−１０に対応する負荷ビットレベルの連結によって形成される。
【０１５２】
例１〜例３４、および、それぞれに対応する図４〜図１１は、本発明に係る干渉協調指示の典型的な実施例にすぎないということに注意すべきである。本発明に係る干渉協調指示の実施は、例１〜例３４、および、それぞれに対応する図４〜図１１に示された具体的な形式に限定されるということを意味しない。
【０１５３】
ステップ５１５：サービングＢＳは、バックグラウンドインターフェース通信を介して、生成された干渉協調指示を隣接するＢＳへ送信する。
【０１５４】
例としては、干渉協調指示が、サービングＢＳによって使用されるであろう空間領域ビームまたは空間領域ビームのサブ空間の情報を示す場合、もしくは、サービングＢＳによって使用されないであろう空間領域ビームまたは空間領域ビームのサブ空間の情報を示す場合、サービングＢＳは、全指向性で、隣接するＢＳへ、当該干渉協調指示を送信する。
【０１５５】
他の例としては、干渉協調指示が、サービングＢＳが、隣接するＢＳに使用することを要求しない、空間領域ビーム、または、空間領域ビームのサブ空間の情報を示す場合、もしくは、干渉協調指示が、サービングＢＳが、隣接するＢＳに使用することを要求する、空間領域ビーム、または、空間領域ビームのサブ空間の情報を示す場合に、サービングＢＳは、指向性をもって、上記干渉協調指示に関連付けられた隣接するＢＳへ、干渉協調指示を送信する。
【０１５６】
マルチユーザMIMO通信負荷の追加情報を含んでいる干渉協調は、全指向性で、隣接するＢＳへ送信されるべきである。
【０１５７】
上記干渉協調指示を送信するためのアプローチは、本発明の利用を説明するための例にすぎないことに注意すべきである。当該ステップは、本発明のその他のステップから独立している。よって、当該ステップの変更は、本発明の実施に影響を与えない。
【０１５８】
ステップ５２０：サービングＢＳに対する干渉を低減あるいは除去するために、隣接するＢＳは、受信した干渉協調指示に基づいて、リソーススケジューリングを実行する。それによって、干渉協調の目的は達成する。
【０１５９】
干渉協調指示が、サービングＢＳによって使用されるであろう、空間領域ビーム、または、空間領域ビームのサブ空間の情報を示す場合、隣接するＢＳは、干渉の大きいリソースでデータを送信することを避けるように、リソーススケジューリングを実行することが好ましい。
【０１６０】
干渉協調指示が、サービングＢＳによって使用されないであろう、空間領域ビーム、または、空間領域ビームのサブ空間の情報を示す場合、隣接するＢＳは、干渉の小さいリソースでデータを送信するように、リソーススケジューリングを実行することが好ましい
干渉協調指示が、サービングＢＳが、隣接するＢＳに使用することを要求しない、空間領域ビーム、または、空間領域ビームのサブ空間の情報を示す場合、隣接するＢＳは、大きい干渉を避けるように、リソーススケジューリングを実行することが好ましい。
【０１６１】
干渉協調指示が、サービングＢＳが、隣接するＢＳに使用することを要求する、空間領域ビーム、または、空間領域ビームのサブ空間の情報を示す場合、隣接するＢＳは、できるだけ小さい干渉を発生するように、リソーススケジューリングを実行することが好ましい。
【０１６２】
上記隣接するＢＳによるリソーススケジューリング方法は、本発明の利用を説明するための例にすぎないことに注意すべきである。当該ステップは、本発明のその他のステップから独立している。よって、当該ステップの変更は、本発明の実施に影響を与えない。
【０１６３】
（ハードウェア構成）
図１２は、本発明に係る基地局１２００を示すブロック図である。
【０１６４】
具体的には、図１２に示すように、本発明のＢＳ１２００は、ダウンリンク干渉の空間領域特性情報を取得する、空間領域情報取得ユニット１２１０と、空間領域情報取得ユニット１２１０によって取得されたダウンリンク干渉の上記空間領域特性情報に基づいて、干渉協調指示を生成する、干渉協調指示生成ユニット１２２０と、上記生成された干渉協調指示を、隣接する基地局へ、バックグラウンドインターフェース通信（例えば、Ｘ２インターフィース通信）を用いて送信し、上記隣接する基地局にリソーススケジューリングを実行するように指示することによって、上記基地局に対する干渉を低減あるいは除去する、バックグラウンドインターフェース通信ユニット１２３０と、を備える。
【０１６５】
上記各ユニット（空間領域情報取得ユニット１２１０、干渉協調指示生成ユニット１２２０、バックグラウンドインターフェース通信ユニット１２３０）は、ＢＳ１２００が、サービング基地局とした場合に、必要な構成要件である。ＢＳ１２００は、サービング基地局に隣接する基地局として機能する場合には、サービング基地局における干渉を低減あるいは除去するように、サービング基地局から、バックグラウンドインターフェース通信ユニット１２３０を介して受信される干渉協調指示に基づいて、リソーススケジューリングを実行するための（点線によって示された）リソーススケジューリングユニット１２４０を、さらに備えてもよい。
【０１６６】
ここで、上記例２、４、６、８、１０、１２、１４、１６、１８、２０、２２、２４、２６、２８、３０、３２によれば、上記干渉協調指示は、
（１）ＢＳ１２００によって使用される空間領域ビームの情報と、
（２）ＢＳ１２００によって使用されない、もしくはもはや使用される予定のない空間領域ビームの情報と、
（３）ＢＳ１２００が、隣接する基地局に使用することを要求していない空間領域ビームの情報と、
（４）ＢＳ１２００が、隣接する基地局に使用することを要求する空間領域ビームの情報と、
のうちのいずれか１つを示してもよい。
【０１６７】
加えて、上記例１、３、５、７、９、１１、１３、１５、１７、１９、２１、２３、２５、２７、２９、３１によれば、干渉協調指示生成ユニット１２２０は、空間領域ビームを空間領域ビームのサブ空間に分類して構成することができる。そして、それらの例１、３、５、７、９、１１、１３、１５、１７、１９、２１、２３、２５、２７、２９、３１によれば、上記干渉協調指示は、
（１）ＢＳ１２００によって使用される空間領域ビームのサブ空間の情報と、
（２）ＢＳ１２００によって使用されない、もしくはもはや使用される予定のない空間領域ビームのサブ空間の情報と、
（３）ＢＳ１２００が、隣接する基地局に使用することを要求していない空間領域ビームのサブ空間の情報と、
（４）ＢＳ１２００が、隣接する基地局に使用することを要求する空間領域ビームのサブ空間の情報と、
のうちのいずれか１つを示してもよい。
【０１６８】
さらに、上記干渉協調指示が、
ＢＳ１２００によって使用される空間領域ビームの情報と、
ＢＳ１２００によって使用されない、もしくはもはや使用される予定のない空間領域ビームの情報と、
ＢＳ１２００によって使用される空間領域ビームのサブ空間の情報と、
ＢＳ１２００によって使用されない、もしくはもはや使用される予定のない空間領域ビームのサブ空間の情報と、
のうちのいずれか１つを示すときに、
バックグラウンドインターフェース通信ユニット１２３０は、全指向性で、隣接する基地局へ、干渉協調指示を送信する。
【０１６９】
さらに、上記干渉協調指示が、
ＢＳ１２００が、隣接する基地局に使用することを要求しない空間領域ビームの情報と、
ＢＳ１２００が、隣接する基地局に使用することを要求する空間領域ビームの情報、
ＢＳ１２００が、隣接する基地局に使用することを要求しない空間領域ビームのサブ空間の情報と、
ＢＳ１２００が、隣接する基地局が使用することを要求する空間領域ビームのサブ空間の情報と、
のうちのいずれか１つを示すときに、
バックグラウンドインターフェース通信ユニット１２３０は、指向性をもって、干渉協調指示に関連付けられた隣接する基地局へ、干渉協調指示を送信する。
【０１７０】
上記例１、２、５、６、９、１０、１３、１４によれば、上記干渉協調指示は、ビットストリングタイプのシグナリングを用いた、２レベルの指示であってもよい。また、上記例３、４、７、８、１１、１２、１５〜３２によれば、上記干渉協調指示は、列挙タイプのシグナリングを用いた、複数レベルの指示であってもよい。加えて、上記例１〜１６によれば、上記干渉協調指示は、第１の次元がスペクトルリソースブロックを表し、第２の次元が空間領域ビームもしくは空間領域ビームのサブ空間を表している、２次元テーブルであってもよい。また、上記例１７〜３２によれば、上記干渉協調指示は、１次元リストであってよく、その各要素は、空間領域ビームのインデックス番号と連結されたスペクトルリソースブロックのインデックス番号、または、空間領域ビームのサブ空間のインデックス番号と連結されたスペクトルリソースブロックのインデックス番号を含む。
【０１７１】
加えて、上記干渉協調指示は、マルチユーザMIMO通信負荷を指示する追加情報を含んでいてもよい。上記例３３によれば、上記マルチユーザMIMO通信負荷を指示する追加情報は、ビットストリングタイプのシグナリングを使用する２レベルの指示を配置されたスペクトルリソースブロックであってもよい。また、上記例３４によれば、上記マルチユーザMIMO通信負荷を指示する追加情報は、列挙タイプのシグナリングを使用する複数レベルの指示を配置されたスペクトルリソースブロックであってもよい。
【０１７２】
ここで、バックグラウンドインターフェース通信ユニット１２３０は、マルチユーザMIMO通信負荷を指示する追加情報を含む干渉協調指示を、全指向性で、隣接する基地局へ送信する。
【０１７３】
以上は、好ましい実施例に基づいて本発明を説明した。当業者は本発明の精神および範囲から離脱しない状態で、各種の変更、切り替え、追加を行うことができるものと理解されるべきである。よって、本発明の範囲は上記具体的な実施例に限定されず、添付された特許請求の範囲に限定されるべきである。
【図１】
2013516799.tif 000005
【図２】
2013516799.tif 000006
【図３】
2013516799.tif 000007
【図４】
2013516799.tif 000008
【図５】
2013516799.tif 000009
【図６】
2013516799.tif 000010
【図７】
2013516799.tif 000011
【図８】
2013516799.tif 000012
【図９】
2013516799.tif 000013
【図１０】
2013516799.tif 000014
【図１１】
2013516799.tif 000015
【図１２】
2013516799.tif 000016
【国際調査報告】
2013516799.tif 000017
2013516799.tif 000018